(57)【要約】【課題】  本発明の課題は、音と映像を、自分で編集できるシステムと、このシステムにより、最終的に携帯型プレーヤーに画像と音のデジタルデータを転送することによって、音楽に、画像を併せ画像付音楽を、いつでも、どこでも楽しめるようにした携帯型プレーヤーを提供することにある。【解決手段】  音のデジタルデータと、画像のデジタルデータを、編集するソフトウェアを備えたパーソナルコンピーにより、画像付音楽のデジタルデータを創作することを特徴とする、システム。画像付音楽のデジタルデータを転送し、画像付音楽のデジタルデータを再生可能にすることを特徴とする、ハードディスクタイプの携帯用プレーヤー。音のデジタルデータは、市販のＣＤあるいはインターネットからダウンロードするものであること、画像デジタルデータは、インターネット、デジテルカメラ、ビデオカメラ、ビデオデッキから取得するものである、ことを特徴とする、システム。【選択図】図１
2005198341.tif 000002
【特許請求の範囲】
【請求項１】
音のデジタルデータと、画像のデジタルデータを、併せて編集するソフトウェアを備えたパーソナルコンピーにより、オリジナルな、画像付音楽のデジタルデータを創作することを特徴とする、システム。
【請求項２】
請求項１に記載のシステムによる画像付音楽のデジタルデータを転送し、画像付音楽のデジタルデータを再生可能にすることを特徴とする、ハードディスクタイプの携帯用プレーヤー。
【請求項３】
音のデジタルデータは、コンパクトディスク（ＣＤ）あるいはインターネットからダウンロードするものであること、画像デジタルデータは、インターネットからダウンロードするもの、デジテルカメラあるいはビデオカメラ、ＴＶ録画装置（ビデオデッキ）から取り込むものである、ことを特徴とする、請求項１記載のシステム。
【発明の詳細な説明】
【技術分野】
【０００１】
本発明は、音楽を最大限に楽しむために、音楽と映像を、自分で編集できるシステムと、このシステムにより、最終的に携帯型プレーヤーに画像と音のデジタルデータを転送することによって、自分の好む音楽に、自分の好む画像を併せた、オリジナルな画像付音楽を、いつでも、どこでも楽しめるようにしたハードディスク内蔵の携帯型プレーヤーに関する。
【背景技術】
【０００２】
「人生は、歌から歌への旅かも知れない。そして歌は人生のかけ橋」（ＮＨＫ、「そして歌は誕生」したより引用。本発明者は、ＮＨＫの「そして歌は誕生した」という番組の冒頭の言葉であるが、番組の中では、最高クラスのものと評価している）。この番組は、音楽と映像、ストリーで編成された最高の芸術的教養番組である。音楽が人間に占める役割はきわめて大きく、音楽には人生のさまざまな思い出がある。
【０００３】
カセットテープの携帯型再生装置、コンパクトディスク（ＣＤ）の携帯型再生装置の歴史を経て、２年程前から、ハードディスクタイプの携帯型再生装置が発売され、音楽を持ち歩き、いつでもどこでも好きなように楽しむということが、容易にできるようになった。特に、ハードディスクタイプのものは、ハードディスク容量が５ギガバイト程度のものであっても、５００曲以上の歌謡曲を収容でき、きわめて便利であり、本発明者は、ここ数年のデジテル家電における、きわめてすぐれた商品の一つであると考えている。本発明者も外出する時は、このハードディスクタイプの携帯用プレーヤーを常に持って出かける。
【０００４】
この技術を支えるには、パーソナルコンピューターと、それにインストール可能な、あるいは、最近の機種によっては、すでにパーソナルコンピューターの購入時にすでに搭載されている、ＣＤやインターネットの音楽データを一旦、パーソナルコンピューターの記憶装置に取り込み、編集しながら、ハードディスクタイプの携帯型プレーヤーにデータを転送できるようになった、ソフトウェアの登場が大きな役割を果たしていると言えよう。
【０００５】
一方、デジタル家電業界のパネル型テレビの普及および、ハードディスクと光ディスクへの再生・書き込み装置を一体型させた画像録画装置の急速な普及や、ゲーム機器、ゲームソフトの膨大な市場を見てもわかるように、多くの人が、単に音データだけではなく、画像データに対する関心がより強いことがうかがえる。
【０００６】
しかしながら、この画像志向は、特にゲームとか、アクション映画、ホラー映画等を介して、若者や子供に、場合により大人にも少なからず、悪しき影響を与えていると思われる。具体的には、若者の労働意欲の低下、犯罪の増加、マナーやモラルの低下といった影響が出ていると推察される。日本は犯罪の国のような様相を呈してきた。本発明者の場合は、少年時代の途中から、テレビが家庭に入ったので、ラジオの時代との両方を経験している。
【０００７】
本発明者は、極論すれば、家庭用のテレビの発明は、人類にとって本質的には必要なかったと考える。災害時にも、テレビより、ラジオが役にたつ。テレビは、ＮＨＫのプロジェクトＸなどで、その開発が非常に高く評価されているものの、結局のところ、企業が利益追求の目的において展開したものに、人間が自然と受け入れたものであった。テレビには、それだけの魅力があったのであるから、自然の成り行きであって、この流れは誰にも止められるものではなかった。（映画の時代は、映画はそれなりに人間の人格形成に有益に機能していたと考えられる。もちろん映画の内容にもよるが。）
【０００８】
ただ、情報、娯楽の機能は、本質的には、ラジオでかなり充足できるし、本発明者自身、幼少の頃の、ラジオ放送の「赤胴鈴之助」、「猿飛佐助」とか、「エリザベス・サンダースホームの語り」「日本の昔からの怖いお化けの語り」等を印象深く記憶している。また、高校時代にも、園まりの唄や、荒木一郎の唄を聞きながら勉強したものである。テレビの場合は、なかなか、見ながら勉強という訳にはいかない。
【０００９】
とはいえ、もはや我々は、画像のもつ文化から、逃れることはできなくなったことも事実である。音だけの情報は、情緒を豊かにするものであり、想像力を逞しくするものではあるが、すでにテレビというものに一旦毒されてしまった人類は、これから逃れようとあがいても、無駄な抵抗である。それになんと言っても、スホーツやニュースは、ラジオはテレビにはかなわない。また、ビジュアル志向は、ビジネスの世界にも及んでおり、論理性に乏しいビジュアルなプレゼンテーションに錯覚し、わかったような気分になり、経営判断も論理性に欠けることが多くなったようであるが、この傾向も、各種のビジュアル化するソフトウェアの普及により、いかんともしがたい時代になってしまった。要するに、我々は、画像文化により、短絡的思考と、短絡的行動に陥りやすくなったのである。今や、文字さえ、絵文字というものが、若者の間で一般的に使われる時代になった。
【００１０】
ところで、音の情報の中でも、人間にとって、最高にすばらしいのは、先に述べた音楽である。本発明者の場合は、小説朗読も好むが、てっとり早く楽しめるのはやはり音楽である。本発明者の場合は、演歌を最も好み、次には、外国の映画音楽やラテンのムードミュージックを好む。演歌では、石川さゆりさんの歌が一番好きである。映画音楽あるいはラテンでは、「夜霧の偲び合い」、「黒いオルフェ」「ジャニーギター」「魅惑のワルツ」「ベサメムーチョ」「帰らざる河」といったところが、好きである。当然のことながら、これらの音楽ＣＤは数多く持っている。
【００１１】
なお、最近はＤＶＤなるものが登場したので、特に好きな石川さゆりさんらの光ディク（ＤＶＤ）は、購入してきている。しかし、ＤＶＤの場合、古い歌手や、古い歌などの場合、発売側のリスクもあるせいか、ほとんどが、氷川きよし、宇田多ひかる、浜崎あゆみといった最近の歌手のものである。本発明者のような初老の人向けのものは、採算ベースに合わないせいか、ほとんど発売されていないのが実情である。したがって、こまめに、歌番組の時、録画して収集するしか方策はない。ただ、このような歌番組の場合、通常歌手がステージで歌っている場面が大半である。旅情演歌が好きな、本発明者の場合は、風景の画像に併せて、歌が流れる。さらに欲を言えば、風景と歌手本人の合成映像に歌が流れるといったものを、究極として求める。しかし、現在の市場から見て、このような作品のＤＶＤが発売される可能性はないとの感触を持っている。
【００１２】
かようなものは、ある意味では、本人の歌唱が付いてないものは、カラオケボックスで提供されている。画像付の音情報である点がきわめて類似している。ただ、この情報システの場合、本人の歌が聞けない、歌に併せて提供される画像が自分の好みでない（歌手本人が登場するものはいいが、好みでないタイプの役者が出たりすると気分が悪くなる）、カラオケボックスのシステムでは、音と画像データを持ち運べない等の不満足な面が多い。もちろん、カラオケとしての本来の機能は、本発明者も、その有用性を認めるものではあるが。
【００１３】
すでに、述べてきたように、現代は、画像文化に毒されすぎており、なんとかしなければならない。かといって、人類は、すでに画像文化から逃れることはできない。よって、本発明者は、かような状況にあって、創造的な作業を伴い、人間の感性を豊かにするとともに、知性も豊かにするようなシステム、およびそのシステムによって、実現可能となりうる、画像付音楽の携帯型プレーヤーを提供しようとするものである。
【００１４】
すでにこの種のものは、多少市販されている、あるいは市販予定である、
１．米マイクロソフト社の携帯型マルチメディア・プレーヤー、片手で持ち運べるサイズの音楽、動画再生プレーヤー。移動中や外出先で、マイクロソフト社のウィンドウズ・メディア形式やMPEG、MP3形式の音楽や動画、写真を楽しめる。20GBのハードディスクを搭載し、VHSビデオ並み画質の動画を最大175時間分、CD音質で約8000曲保存できる。駆動時間は動画で最大6時間、音楽で最大12時間。というものがあり、ソフトウェアは、ウィンドウズ対応のものが用意される。
【００１５】
２．オリンパスイメージングのデジタルカメラ付きのハードディスク（ＨＤ）搭載携帯型音楽プレーヤー。内蔵の２０ギガ・バイトのＨＤに記録した画像と音楽を組み合わせて、同時に再生することができるものがある。
【００１６】
３．東芝のダウンロードした曲のジャケット写真などの画像の表示可能な携帯電話がある。
【００１７】
４．シンガポールのクリエイティブの音楽や動画、そして静止画像を再生・閲覧できる携帯デジタルプレーヤー等がある。
【００１８】
特許文献についてみると、以下のようなものがある。
【００１９】
特開２００４−３１０２５８号公報（特許文献１）には、プレゼンテーション用画像表示機能と、
画像を外部表示装置に表示する機能と、
外部表示装置に接続された状態で該プレゼンテーション用画像データを該外部表示装置に表示する機能と、
音楽再生機能と、
リモコン付きヘッドフォン接続機能と
リモコン付きヘッドフォン接続検知機能と
該リモコンにより、音楽再生の制御を行う機能と
を有する携帯情報端末装置において、プレゼンテーション用の操作を行うときに音楽用のリモコンを使用することを特徴とする携帯情報端末装置。が開示されている。
【００２０】
特開２００４−１１０４５３号公報（特許文献２）には、筐体の下側にストラップを接続して、前記ストラップを用いて首からぶら下げることができるようになされた携帯端末装置において、
画像を表示する画像表示手段と、
姿勢の変化を検出する姿勢センサと、
前記姿勢センサで検出される姿勢の変化に応じて、前記画像表示手段による画像の表示を切り換える制御手段と
を備えることを特徴とする携帯端末装置。が開示されている。
【００２１】
特開２００４−５４６７５号公報（特許文献３）には、データを記憶媒体に保存する保存手段と、データに基づく画像を形成して印刷出力する画像形成手段と、を備えた画像形成装置において、
ユーザが携帯する携帯通信端末を接続する接続手段と、
前記接続手段により接続された携帯通信端末を制御して、各種情報のデータを管理するネットワーク上のサーバと通信を行う通信制御手段と、
前記サーバからユーザが所望する第１のデータ及び第２のデータを取得する取得手段と、
前記取得手段により取得された第１のデータ及び第２のデータの出力形態を選択する第１の選択手段と、を備え、
前記第１の選択手段により選択された出力形態で前記第１のデータ及び前記第２のデータをユーザに提供することを特徴とする画像形成装置。が開示されている。
【００２２】
特開２００３−１２２３８２号公報（特許文献４）には、音声出力手段及び表示手段を備え、記憶媒体に格納されている音楽ファイルと、画像ファイル及び／又はテキストファイルとを再生する携帯型の複合型再生装置であって、前記音楽ファイルの内容を音声出力手段により出力させ、前記音楽ファイルと予め関連付けられた画像ファイル及び／又はテキストファイルの内容を前記表示部に表示させる演算手段を備えたことを特徴とする携帯型の複合型再生装置。が開示されている。
【００２３】
特開２００３−１１１０３１号公報（特許文献５）には、ａ）
デジタル画像を格納するデジタル・メモリ、ｂ） オーディオ録音を格納するデジタル・メモリ、ｃ） 前記格納されたデジタル画像を表示するディスプレイ、ｄ） 前記格納されたオーディオ録音を分析し、前記格納されたオーディオ録音にしたがって、格納されたデジタル画像のシーケンスをいつ表示すべきかを決定する、音楽アナライザー、およびｅ）前記オーディオ録音を再生するためのオーディオ再生装置を含む携帯型電子画像表示装置およびオーディオプレーヤー。が開示されている。
【００２４】
特開２００３−０８４７７７号公報（特許文献６）には、利用者に対して各種情報を放送する情報提供センタと、当該情報に関するデータを利用者に配信するデータ配信センタと、放送を受信し上記情報提供センタにデータの配信要求を行い上記データ配信センタからのデータを受信記録する利用者端末とを備えた情報配信システムにおいて、上記利用者端末は、上記情報提供センタに対して現在放送中の情報のデータの配信要求を行い、上記情報提供センタは、上記データ配信センタを通じて上記利用者端末に当該データを配信し、上記利用者端末は配信された当該データを受信記録する機能を有することを特徴とする情報配信システム。利用者に対して各種音楽情報を放送する音楽情報提供センタと、楽曲データを利用者に配信する楽曲データ配信センタと、放送を受信し上記音楽情報提供センタに楽曲データの配信要求を行い上記楽曲データ配信センタからの楽曲データを受信記録する利用者端末とを備えた音楽情報配信システムにおいて、上記利用者端末は、上記音楽情報提供センタに対して現在放送中の楽曲データの配信要求を行い、上記音楽情報提供センタは、上記楽曲データ配信センタを通じて上記利用者端末に当該楽曲データを配信し、上記利用者端末は配信された当該楽曲データを受信記録する機能を有することを特徴とする音楽情報配信システム。が開示されている。
【００２５】
特開２００３−７６９２３号公報（特許文献７）には、携帯電話、携帯電子端末になどにつける携帯ストラップや付属物およびその他のアクセサリーや付属物、おもちゃ、人形、お菓子・飲料などの食品、雑貨、寝具、食器、トイレタリー用品、化粧品などの本体もしくは添付するものに表示された単数もしくは複数の種類、個数のパスワードを、携帯電話、携帯電子端末、パーソナルコンピューターになどより指定されたインターネット上の場所などで入力、もしくは、指定された電子メールアドレスに送信することにより、限定された人に設定された回数、期間、当該製品情報以外の設定された電子メール、画像、音声を含む動画像、音楽などをインターネットなどを通じて配信もしくはダウンロードを許諾するシステム。が開示されている。
【００２６】
特開２００１−２８７８６号公報（特許文献８）には、携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化データとを配信する配信手段と、前記配信に対して課金管理を行う課金手段とを備える配信サーバと、前記固有ＩＤ、前記暗号化コンテンツキーおよび前記暗号化データを記録する録媒体と、前記配信サーバから無線基地局を介して受信した前記暗号化コンテンツキーと前記暗号化データとを前記記録媒体に記録する記録手段と、前記固有ＩＤと前記暗号化コンテンツキーと暗号化データからデータを再生する再生手段と、前記暗号化データの配信の受理或いは不受理を入力する入力手段とを備える携帯電話機とを備える情報配信システムであって、前記携帯電話機において受信した前記暗号化データの一部或いは全てを再生した後、前記入力手段からの入力結果を前記配信サーバに無線基地局を介して送信し、配信を受理する場合、前記配信サーバの前記課金手段にて課金を行うことを特徴とする情報配信システム。が開示されている。
【００２７】
特開２０００−１５６８５０号公報（特許文献９）には、音響制御回路を管理する中央ユニットと、ツールとサービスのライブラリの周囲に構築されたマルチタスクオペレーティングシステムを介して、ホストサーバによって制御された配布ネットワークに接続された通信モデムとを含むオーディオビジュアル再生システムであって、前記オペレーティングシステムが、前記音響制御回路を調整して、オーディオビジュアル再生システムの拡声器が使用されている様々なエリアでの音量を結合させる機能を含み、この機能にはマルチタスクオペレーティングシステムの管理モードを介してアクセス可能であり、１つのエリアでの音量が変更された時に各エリア内のさまざまな音量の比率を前記結合が維持するオーディオビジュアル再生システム。が開示されている。
【００２８】
特表２００４−５１４９７４号公報（特許文献１０）には、テレマティック・ネットワーク（９、１１、１３、１４）を利用することにより、デジタル・データを含むファイルを配布するためのシステムであって、
前記テレマティック・ネットワーク（９、１１，１３，１４）に接続され、複数の前記ファイルを蓄積する少なくとも一つの記憶装置（４）と、
前記テレマティック・ネットワーク（１４）に接続された複数の配布ポイントであって、前記の少なくとも一つの記憶装置から一つ又はそれ以上のファイルを受信してローカル・バッファ（２２）に蓄積する手段（２４）、及び、前記一つ又はそれ以上のファイルを適切な補助記憶装置（１６）に記録する手段（２６）をそれぞれ含む複数の配布ポイント（８１．．．８ｎ）と、
前記テレマティック・ネットワーク（１１）に接続され、前記の少なくとも一つの記憶装置（４）に存在する一つ又はそれ以上のファイルの顧客による選択及び予約のための少なくとも一つのテレマティック端末（１０、１２）と、
前記テレマティック・ネットワーク（９、１１、１３、１４）に接続された中央処理装置であって、前記の少なくとも一つのテレマティック端末（１０、１２）からの前記予約を収集する手段、前記予約されたファイルを数えて識別する手段、前記予約されたファイルに関するコストを前記顧客に請求する手段、著作権を所有する機関（６１．．６ｎ）に対して著作権料の支払いのためのレポートを生成する手段、及び、前記一つ又はそれ以上のファイルを、前記の少なくとも一つの記憶装置（４）から、前記配布ポイント（８）のうちの少なくとも一つに転送する手段を含む中央処理装置（２）と、
を備えることを特徴とするシステム。が開示されている。
【００２９】
特開２００２−４４５８７号公報（特許文献１１）には、複数の送信装置からネットワークを介して送信される音声、静止画、動画、文字データを含むデータおよび該データの特徴を記述したデータ情報を受信装置において選択的に複数受信し、この受信した複数のデータを組み合わせて構築し再生するシステムにおいて、前記データ情報においてデータの特徴を記述すべく使用されている各表現に対して共通の規格化された表現を格納しているデータベースと、前記受信装置で受信した複数のデータをそれぞれ配置するための複数のデータ枠および各データ枠毎に設けられ、各データ枠に挿入されるデータの条件および各データ枠にデータを挿入する際のデータ変換方法を記述した複数のテンプレートを前記複数のデータのうちの主データに対応するデータ情報に基づき選択するテンプレート選択手段と、前記データベースを参照して、前記受信装置で受信した複数のデータ情報における表現を共通の規格化された表現のデータ情報に変換する変換手段と、該変換手段で規格化された表現のデータ情報を用いて、前記テンプレートの各データ枠のデータ条件に合致するデータを各データ枠毎に選択するデータ選択手段と、この選択された各データ枠用のデータをテンプレートの各データ枠のデータ変換方法に基づいて変換してテンプレートの各データ枠に挿入し、前記複数のデータをテンプレートのデータ枠に従って組み合わせて構築し再生するデータ構築手段とを有することを特徴とする複数データ再生装置。が開示されている。
【００３０】
特開２００２−２４４６５４号公報（特許文献１２）には、個々のコンテンツデータが示すコンテンツをプレイする際に共通して用い得る当該コンテンツの表現効果の設定内容をそれぞれ示す複数の効果設定用データを有する効果設定用データライブラリを、記憶する効果設定用データライブラリ記憶手段と、端末装置からの要求に応じて、前記効果設定用データライブラリから選択された効果設定用データを、通信網を介して、前記コンテンツデータと独立して前記端末装置に供給する手段とを備えたことを特徴とする配信装置。
前記効果設定用データライブラリは、前記各効果設定用データに関連づけられた当該効果設定用データが示す設定内容の説明情報を有し、該説明情報は文字データ及び画像データのうちの両方又はいずれか一方を含み、前記供給する手段は、前記選択された効果設定用データと共にこれに関連づけられた前記説明情報を前記端末装置に供給することを特徴とする配信装置。が開示されている。
【００３１】
ＷＯ２００２／０４１２９７号公報（特許文献１３）には、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを備え、
前記音楽用情報端末装置に記憶された音楽情報を読み出して音楽情報記憶媒体に書き込み、該音楽情報記憶媒体に書き込まれた音楽情報を音楽情報出力装置を用いて出力することを特徴とする音楽配信システム。が開示されている。
【００３２】
特表２００４−５３５００６号公報（特許文献１４）には、第１のユーザにメディアコンテンツアイテムを個人化することを可能とする少なくとも１つのメディア作成及び編集ツールと、
個人化されたメディアコンテンツアイテムにリンクするための少なくとも１つのユーザ選択操作子と、
少なくとも１つの広告領域と、
上記少なくとも１つのユーザ選択操作子を備える上記少なくとも１つの広告領域を取り入れるようにプログラミングされるとともに、上記個人化されたメディアコンテンツアイテムをユーザが認識できる形式で再生するようにプログラミングされたメディアプレイヤに上記個人化されたメディアコンテンツをリンクすることが選択可能とされたユーザ選択操作子とを備えるブロードバンド創造性プラットホームを用いたユーザインタフェース。が開示されている。
【００３３】
特開２００４−１８５３８９号公報（特許文献１５）には、ネットワークを介して接続される１以上のサーバとの間で情報を送受信するための通信部を備えた端末であって、
前記サーバとの間で送受信した情報及び当該情報について質問を行う指示を入力する質問指示部を表示部に表示させる表示制御手段と、
前記質問指示部において前記情報について質問を行う指示及び前記情報についての質問を入力させる入力制御手段と、
前記入力制御手段により質問を行う指示及び質問が入力された場合に、前記表示された情報の所在地を示す情報を取得し、前記通信部を制御して、前記質問及び情報の所在地を示す情報を前記サーバに送信させる制御手段と、
を備えることを特徴とする端末。が開示されている。
【００３４】
特開２００５−３１７８０号公報（特許文献１６）には、新聞、雑誌、ポスター、折り込み広告、店頭ＰＯＰ、値札などの情報掲載媒体に関連するコンテンツを提供する情報クリッピングシステムであって、
前記コンテンツの提供を要求する情報要求端末と、
前記情報要求端末からのコンテンツの提供要求または保持している提供要求の履歴情報に基づき、前記コンテンツを選別して情報閲覧端末へ配信する情報提供サーバと、
前記情報提供サーバが配信した前記コンテンツを受信し、該コンテンツを表示する情報閲覧端末と、
を備えることを特徴とする情報クリッピングシステム。が開示されている。
【００３５】
特開２００４−３２６９２５号公報（特許文献１７）には、オーディオコンテンツ情報を編集記録する方法であって、
複数のオーディオコンテンツ情報の結合指示に対応して、これら複数のオーディオコンテンツ情報の各管理情報及び各再生情報から結合対象の情報を特定し、
一つのオーディオコンテンツ情報に対して、前記特定された結合対象の情報を割り当てる、
ことを特徴とする編集記録方法。が開示されている。
【００３６】
特開２００２−３３０３８０号公報（特許文献１８）には、電子機器に於いて、その電子機器に搭載された機能を、電子機器本体以外の装置により、追加、編集、設定、削除を行う電子機器の機能編集方法。が開示されている。
【００３７】
特開２００２−９２６５１号公報（特許文献１９）には、三次元空間の画像をモニタ画面上でGUI(Graphical User Interface)操作することによって、該三次元空間の画像を編集する映像データ編集方法において、前記三次元空間の画像上に配置されているすべてのCGオブジェクトの情報とカメラの設定情報を取得し、取得した前記CGオブジェクトの情報と前記カメラの設定情報とによって、前記CGオブジェクトそれぞれについて、対応する前記モニタ画面上に占める領域の座標を求め、前記GUI操作するためのポインタの位置座標を取得し、前記ポインタの位置座標と、前記モニタ画面上に占める領域の座標とを比較し、前記ポインタの位置座標が、前記モニタ画面上に占める領域のどれかに含まれるときは、その投影オブジェクトに対応するCGオブジェクトが選択されたと判断することを特徴とする映像データ編集方法。が開示されている。
【００３８】
特開２００１−２０２５３１号公報（特許文献２０）には、コンピュータグラフィックスアニメーションや動画像、音楽ファイル、音声合成装置等を用いた動画像生成技術を元にした動画像編集装置において、再生または放送されない画像を取得するための複数の視点をあらかじめ設定し、該複数の視点のいずれかに切り替えて、該切り替えた視点から見た編集中の動画像を参照し、該参照した画像を確認しながら動画像編集を行うことを特徴とする動画像編集方法。が開示されている。
【００３９】
特開平１１−２６５１９２号公報（特許文献２１）には、入力ファイルから再生テンポ情報を入力する再生テンポ情報入力手段と、入力ファイルから文字図形表示制御情報を入力する文字図形表示制御情報入力手段と、所定の空き期間条件を入力する空き期間条件入力手段と、前記再生テンポ情報入力手段からの再生テンポ情報と、前記文字図形表示制御情報入力手段からの文字図形表示制御情報とから実時間を算出する実時間算出手段と、前記空き期間条件入力手段からの空き期間条件と、前記実時間算出手段で算出された実時間とに基づいて空き期間を抽出する空き期間抽出手段と、前記空き期間抽出手段で抽出された空き期間を表示する表示手段と、前記抽出された空き期間内に背景画像の切換タイミングが設定された画像表示制御情報を入力する画像表示制御情報入力手段と、前記再生テンポ情報入力手段からの再生テンポ情報と、前記画像表示制御情報入力手段からの画像表示制御情報とから音楽系時間を算出する音楽系時間算出手段と、前記音楽系時間が算出された後の前記画像表示制御情報を前記音楽系時間算出手段から入力し、出力ファイルの出力を行う出力手段と、を備えたことを特徴とする画像表示編集装置。が開示されている。
【００４０】
しかしながら、本発明者の目指すものは、特に、音楽に合った画像の選択、編集にこだわるものである。すなわち、インターネットにより画像や音楽データをダウンロード、あるいは、画像や音楽を、自分が収集したライブラリーから、一旦パーソナルコンピューターに取り込み、特に画像編集を創意工夫したうえ、音楽と合成し、画像付音楽のデジタルデータを再生可能なハードディスクタイプの携帯用プレーヤーに転送するシステムと、プレーヤーという、高度にマニアックなレベルのものであって、現存の機種では存在していない。すなわち、現存のシステム、あるいは機種は、人間が受動的に使用するものであり、人類の英知と創造性を高めるものというよりは、益々、人類を画一的な馬鹿人間にするのであり、かような製品に我々は毒されてはならない。
【特許文献１】特開２００４−３１０２５８号公報
【特許文献２】特開２００４−１１０４５３号公報
【特許文献３】特開２００４−５４６７５号公報
【特許文献４】特開２００３−１２２３８２号公報
【特許文献５】特開２００３−１１１０３１号公報
【特許文献６】特開２００３−０８４７７７号公報
【特許文献７】特開２００３−７６９２３号公報
【特許文献８】特開２００１−２８７８６号公報
【特許文献９】特開２０００−１５６８５０号公報
【特許文献１０】特表２００４−５１４９７４号公報
【特許文献１１】特開２００２−４４５８７号公報
【特許文献１２】特開２００２−２４４６５４号公報
【特許文献１３】ＷＯ２００２／０４１２９７号公報
【特許文献１４】特表２００４−５３５００６号公報
【特許文献１５】特開２００４−１８５３８９号公報
【特許文献１６】特開２００５−３１７８０号公報
【特許文献１７】特開２００４−３２６９２５号公報
【特許文献１８】特開２００２−３３０３８０号公報
【特許文献１９】特開２００２−９２６５１号公報
【特許文献２０】特開２００１−２０２５３１号公報
【特許文献２１】特開平１１−２６５１９２号公報
【発明の開示】
【発明が解決しようとする課題】
【００４１】
本発明の課題は、音楽を最大限に楽しむために、音と映像を、自分で編集できるシステムおよび、システムにより、最終的に携帯型プレーヤーに画像と音のデジタルデータを転送することによって、自分の好む音楽に、自分の好む画像を併せ画像付音楽を、いつでも、どこでも楽しめるようにしたハードディスク内蔵の携帯型プレーヤーを提供することにある。
【課題を解決するための手段】
【００４２】
すなわち、本発明は、以下の構成を要旨とする。
（１）音のデジタルデータと、画像のデジタルデータを、併せて編集するソフトウェアを備えたパーソナルコンピーにより、オリジナルな、画像付音楽のデジタルデータを創作することを特徴とする、システム。
（２）画像付音楽のデジタルデータを例えば、パーソナルコンピューターから転送し、画像付音楽のデジタルデータを再生可能にすることを特徴とする、ハードディスクタイプの携帯用プレーヤー。
（３）音のデジタルデータは、市販のＣＤあるいはインターネットからダウンロードするものであること、画像デジタルデータは、インターネットからダウンロードするもの、デジテルカメラあるいはデジタルビデオ、ＴＶ録画装置（ビデオデッキ）から、取り込むものであることを特徴とする、システム。
【発明の効果】
【００４３】
本発明によって、自分の好む音楽に、自分の好む画像を併せ、音楽を画像付きで、いつでも、どこでも楽しめる。また、単なる市販品の情報を楽しむだけでなく、創造的な作業を必要とするので、奥深い趣味となり、人間の感性を豊かにするとともに、知性も豊かにする。
【発明を実施するための最良の形態】
【００４４】
音のデジタルデータと、画像のデジタルデータを、併せて編集するソフトウェアを備えた、パーソナルコンピーにより、オリジナルな、画像付音楽のデジタルデータを創作することを特徴とする、システム。画像付音楽のデジタルデータを例えば、パーソナルコンピューターから転送し、画像付音楽のデジタルデータを再生可能にすることを特徴とする、ハードディスクタイプの携帯用プレーヤー。音のデジタルデータは、市販のＣＤあるいはインターネットからダウンロードするものであること、画像デジタルデータは、インターネットからダウンロードするもの、デジテルカメラあるいはデジタルビデオカメラ、ＴＶ録画装置（ビデオデッキ）から取り込むものであること、を特徴とする、システム。によって構成される。
【実施例】
【００４５】
以下に実施例により、本発明を説明するが、本発明は実施例によって限定されるものではない。
【００４６】
本発明は、主要機器としては、図１に示すような、下記のものによって構成される。
１．ハードディスクタイプの画像付音楽再生の携帯型プレーヤー
２．音および画像のデジタルデータ編集ソフトをインストールしたパーソナルコンピューター
３．音楽ＣＤ（コンパクトディスク）
４．デジタルカメラ
５．デジタルビデオカメラ
６．音楽データーベース（有料あるいは無料）
７．画像データーベース（有料あるいは無料）
８．インターネット回線
（９．ＴＶ録画装置（ビデオデッキ）、パーソナルコンピューターにＴＶチューナーが内臓されている機種が多くあり、図１には記載せず）
もちろん、これに加えるに、音と画像のデータを併せる機能を有する編集ソフトウェアが必要となる。これによって、いかなる音楽を選択し、それにいかなる画像を付すかは、個人の趣味合わせて、楽しむことができるようになる。１．ハードディスクタイプの画像付音楽再生の携帯型プレーヤーについては、専用機であっても、携帯電話複合機であってもよいが、専用機の方が、当然ディスプレイを大きいサイズのものにすることができる。
【００４７】
現在は、携帯電話が高機能化しているので、画像に音楽を付すことは、容易にできる時代になってきている。しかし、自分が自分で撮影した景観とかの映像に音楽を付すとなると、満足のいくものを編集するには、音および画像のデジタルデータ編集ソフトをインストールしたパーソナルコンピューターが必要となる。また、画像を見ながら音楽を楽しむことになるので、通常の携帯電話のディスプレイよりも、やや大きい画面を有する専用機が望ましい。また、現在の技術を持ってすれば、デジタルカメラやデジタルビデオカメラに、画像付音楽再生機能を付属させることも可能である。
【００４８】
音源は、自分のＣＤコレクションから選んでもよいが、インターネットから、さらに好むものがあれば、ダウンロードできるのがより好ましい。画像源は、自分が旅行先などで撮影した静止あるいは動画であってもよいが、インターネットから、さらに好むものがあれば、ダウンロードできるのがより好ましいし、ＴＶの映像を取り込んでも良い。
【００４９】
音および画像のデジタルデータ編集ソフトをインストールしたパーソナルコンピューターの記憶装置に一旦記憶された、編集されたデータは、ハードディスクタイプの画像付音楽再生の携帯型プレーヤーに転送する。
【００５０】
ただし、音と画像データを併せた情報量は、音だけの場合よりも大きなものとなるので、ハードディスクタイプの画像付音楽再生の携帯型プレーヤーの記憶容量としては、２０ギガバイト以上のものが要求されてくるが、ハードディスクタイプの画像付音楽再生の携帯型プレーヤーの価格を抑えるために、記憶容量の小さいもの用等のため、当然、編集したあとの情報は、光ディスクにも記録しておくのが望ましい。
【００５１】
このような機能を求めるシステムの利用は、音楽ＣＤの提供社、画像提供社の持つ著作権の問題発生しないように、個人的利用に限定されるべきであることは言うまでもない。それによって、提供側の業績も向上し、利益が増大するものと期待される。また、当然、公知の課金システムも活用される。
【００５２】
本発明の音のデジタルデータと、画像のデジタルデータを、併せて編集するソフトウェアを備えた、パーソナルコンピーにより、オリジナルな、画像付音楽のデジタルデータを創作することを特徴とする、システム、および画像付音楽のデジタルデータを、パーソナルコンピューターから転送し、画像付音楽のデジタルデータを再生可能にしたことを特徴とする、ハードディスクタイプの携帯型プレーヤーの技術的な細部については、公知の技術を応用することができるので、詳細な説明は要しないと考えられるが、一般的に採用可能な技術の概要を以下に説明する。
【００５３】
本発明の一つの態様に係る携帯型プレーヤーは、音声出力手段及び表示手段を備え、記憶媒体に格納されている音楽ファイルと、画像ファイル及び／又はテキストファイルとを再生する携帯型の複合型再生装置であって、音楽ファイルの内容を音声出力手段により出力させ、音楽ファイルと予め関連付けられた画像ファイル及び／又はテキストファイルの内容を表示部に表示させる演算手段を備えたものである。
【００５４】
本発明においては、音楽ファイルの内容を音声出力手段により出力させる際には、画像ファイル及び／又はテキストファイルの内容を表示部に表示させるが、その際には、音楽ファイルと予め関連付けられた画像ファイル及び／又はテキストファイルが自動的に選択されてその内容が再生される。
【００５５】
本発明の他の態様に係る携帯型プレーヤーは、携帯型プレーヤーにおいて、記憶媒体に格納されている音楽ファイルと、音楽ファイルと予め関連付けられた画像ファイル及び／又はテキストファイルとは、ファイル名が同一である。本発明においては、音楽ファイルの内容を再生する際に、それと同一名の画像ファイル及び／又はテキストファイルを再生する。音楽ファイルと画像ファイル及び／又はテキストファイルとの関係付けが簡単であり、記録媒体に上記のファイルを記録する際の処理も簡単なものとなる。
【００５６】
本発明の他の態様に係る携帯型プレーヤーは、携帯型プレーヤーにおいて、記憶媒体に格納されている音楽ファイルと、音楽ファイルと予め関連付けられた画像ファイル及び／又はテキストファイルとは、同一のフォルダ内に格納される。本発明においては、音楽ファイルを再生する際に、その音楽ファイルが格納されているフォルダに格納されている画像ファイル及び／又はテキストファイルを再生する。音楽ファイルと画像ファイル及び／又はテキストファイルとの関係付けが簡単であり、記録媒体に上記のファイルを記録する際の処理も簡単なものとなる。この場合にはファイル名が同一である必要はない。
【００５７】
本発明の他の態様に係る携帯型プレーヤーは、携帯型プレーヤーにおいて、記憶媒体に格納されている音楽ファイルと、音楽ファイルと予め関連付けられた画像ファイル及び／又はテキストファイルとは、再生の順番に従って並べられて記憶される。本発明においては、音楽ファイルを再生する際には、その音楽ファイルに続いて並べられている画像ファイル及び／又はテキストファイルを再生する。音楽ファイルと画像ファイル及び／又はテキストファイルとの関係付けが簡単であり、記録媒体に上記のファイルを記録する際の処理も簡単なものとなる。この場合にもファイル名が同一である必要はない。
【００５８】
本発明の他の態様に係る携帯型プレーヤーは、上記の携帯型プレーヤーにおいて、演算手段は、音楽ファイルの内容を音声出力手段により出力させている間、音楽ファイルと予め関連付けられた画像ファイル及び／又はテキストファイルの内容を表示部に表示させる。したがって、本発明においては、音楽ファイルによって音声出力手段の出力がある間には、画像ファイル及び／又はテキストファイルの内容が表示部に表示される。
【００５９】
本発明の他の態様に係る携帯型プレーヤーは、上記の携帯型プレーヤーにおいて、演算手段は、音楽ファイルの内容を音声出力手段により出力させている間、音楽ファイルと予め関連付けられた画像ファイルの内容及びテキストファイルの内容を択一的に表示部に表示させる。本発明においては、音楽ファイルの内容を音声出力手段により出力させている間、例えば画像ファイルの内容が表示部に表示され、次に、テキストファイルの内容が表示部に表示される。また、その順序は逆であってもよい。
【００６０】
本発明の他の態様に係る携帯型プレーヤーは、上記の携帯型プレーヤーにおいて、演算手段は、音楽ファイルの内容を音声出力手段により出力させている間、音楽ファイルと予め関連付けられた画像ファイルの内容及びテキストファイルの内容を表示部に重畳させて表示させる。本発明においては、画像ファイルの内容とテキストファイルの内容とが重畳して表示され、画面が切り替わらないので見易いものとなっている。
【００６１】
本発明の他の態様に係る携帯型プレーヤーは、上記の携帯型プレーヤーにおいて、演算手段からの制御信号に基づいて、画像ファイルの内容とテキストファイルの内容とを合成して表示部に出力して表示させる表示制御手段を有する。本発明においては、表示制御手段が画像ファイルの内容とテキストファイルの内容とを合成して表示部に出力して両ファイルの内容を重畳して表示させる。
【００６２】
本発明の他の態様に係る携帯型プレーヤーは、上記の携帯型プレーヤーにおいて、表示制御手段は、演算手段からの制御信号に基づいて、画像ファイルの内容及びテキストファイルの内容をそれぞれフレームデータに展開した後に、そのフレームデータを合成して表示部に出力して表示させる。
【００６３】
本発明の他の態様に係る携帯型プレーヤーは、上記の携帯型プレーヤーにおいて、表示制御手段は、演算手段からの制御信号に基づいて画像ファイルの内容及びテキストファイルの内容をそれぞれフレームデータに展開した後に、各フレームデータをそれぞれ読み出して出力するＶＲＡＭ制御回路と、演算手段からの制御信号に基づいて各フレームデータを合成して出力する合成回路とを備えたものである。
【００６４】
本発明の他の態様に係る携帯型プレーヤーは、上記の携帯型プレーヤーにおいて、表示制御手段は、演算手段からの制御信号に基づいて、画像ファイルの内容をフレームデータに展開した後に、そのフレームデータとテキストファイルの画像データとを合成して、表示部に出力して表示させる。
【００６５】
本発明の他の態様に係る携帯型プレーヤーは、上記の携帯型プレーヤーにおいて、表示制御手段は、画像ファイルの内容をフレームデータに展開した後に、フレームデータを読み出して出力するＶＲＡＭ制御回路と、前記演算手段からの制御信号に基づいて、前記フレームデータとテキストファイルの画像データとを合成して出力する合成回路とを備えたものである。
【００６６】
本発明の他の態様に係る携帯型プレーヤーは、上記の携帯型プレーヤーにおいて、演算手段は、記録媒体に記録されている音楽ファイルを所定の基準に基づいてリストし、そのリストされた順番に従って音楽ファイルを再生させる。
【００６７】
本発明の他の態様に係る携帯型プレーヤーは、上記の携帯型プレーヤーにおいて、各種の操作信号を入力するための操作手段を備え、演算手段は、操作手段の操作信号に基づいて表示部に設定画面を表示させて、その設定画面が表示されている状態における操作手段の操作信号に基づいて、音楽ファイルの再生順序を設定する。
【００６８】
本発明の他の態様に係る携帯型プレーヤーは、上記の携帯型プレーヤーにおいて、演算手段は、設定画面が表示されている状態における操作手段の操作信号に基づいて、画像ファイルとテキストファイルの再生順序を設定する。
【００６９】
本発明のハードディスクタイプの携帯型プレーヤーは、各種の動作モードを有しており、これらの動作モードは任意に選択できるように構成されている。この携帯型プレーヤーは、表示部を備えている。表示部は、大きさ数インチの液晶パネルから形成されている。
【００７０】
本体の側部には、メインスイッチが設けられており、このメインスイッチを操作することにより、携帯型プレーヤーがオン、オフ制御される。また、メインスイッチの下方には、ジョグスイッチからなる選択スイッチが設けられており、この選択スイッチを操作することにより、上述の各種の動作モードの選択や各種設定を行うことができるように構成されている。メインスイッチと選択スイッチとの間には、メニュースイッチが配設されており、このメニュースイッチを操作することにより、表示部にメニュー画面が表示され、また、このメニュースイッチを押すことにより、表示部に設定画面が表示される。
【００７１】
なお、携帯型プレーヤー本体の上端側面には、音量調節部が設けられている。また、本体には、音響出力部となるイヤーホーンジャックが設けられており、このイヤーホーンジャックを介してヘッドホーンやイヤーホーンによって音響（音声）を出力できるようにしてある。さらに、本体には、外部記憶装置となるメモリカードを装着するための挿入口が設けられており、音楽等が録音されたメモリカードや、画像が記録されメモリカード等を装着することにより、メモリカードインターフェイス（メモリカードＩ／Ｆ）３６を介して音楽や画像が再生される。また、パーソナルコンヒューターへの接続ポートも設けられている。これにより、パーソナルコンピューターからの、音楽と画像の合成データを、携帯型プレーヤー本体のハードディスクに格納することができる。
【００７２】
インターネットを介して、音楽や画像データを配信するシステムについては、公知であり、それをソフトウェアで編集する技術も、音楽ＤＶＤが公用のものとして知られているように、特に新規な技術ではないが概略次のような技術を活用する。１．文字情報・図形情報・静止画像情報・動画像情報・音情報・実行可能なプログラムのうち少なくとも一つを含む原データを、参照指示に基づき参照する表示参照手段と、記憶メディアを再生可能な記憶制御手段と、該表示参照手段の生成する表示データを表示可能なデータ表示手段とのうち少なくとも表示参照手段をもつ情報処理装置において、記憶メディアから、メディア属性情報を取得する属性取得手段を有し、前記表示参照手段は、前記属性取得手段によって、取得したメディア属性情報に応じて制御され、前記原データの表示・参照方法を変更した変更データを生成可能であり、前記原データまたは、変更データから表示データを生成可能であることを特徴とする情報処理装置。２．文字情報・図形情報・静止画像情報・動画像情報・音情報・実行可能なプログラムなどのノード情報を含むノードと、参照可能なノードを示すノード内のリンクポインタから構成されるリンク構造データの表示・参照が可能なリンク構造データ制御手段と、プログラム・データを格納するメモリ、プログラムを実行するＣＰＵ、ネットワークとのデータ授受を制御するネットワーク制御手段、CD-ROM・DVDなどの記憶メディアを再生可能な二次記憶制御手段、表示手段を制御する表示制御手段よりなる情報処理装置において、該記憶メディアに記録されたメディア属性情報を取得する属性情報取得手段と、該メディア属性情報に応じて表示するノード情報の少なくとも一部を変更可能なノード表示情報生成手段をもつことを特徴とする情報処理装置。３．文字情報・図形情報・静止画像情報・動画像情報・音情報・実行可能なプログラムなどのノード情報を含むノードと、参照可能なノードを示すノード内のリンクポインタから構成されるリンク構造データの表示・参照が可能なリンク構造データ制御手段と、プログラム・データを格納するメモリ、プログラムを実行するＣＰＵ、ネットワークとのデータ授受を制御するネットワーク制御手段、CD-ROM・DVDなどの記憶メディアを再生可能な二次記憶制御手段、表示手段を制御する表示制御手段よりなる情報処理装置と、ネットワークを介して該情報処理装置とリンク構造データの授受をおこなうサーバからなるシステムにおいて、該サーバに前記情報処理装置内にある記憶メディアのメディア属性情報を取得する属性情報サーバ取得手段と、取得したメディア属性情報に応じて前記情報処理装置に送信するリンク構造データの少なくとも一部を変更可能なノード表示情報サーバ生成手段を設けたことを特徴とする情報処理システム。４．文字情報・図形情報・静止画像情報・動画像情報・音情報・実行可能なプログラムなどのノード情報を含むノードと、参照可能なノードを示すノード内のリンクポインタから構成されるリンク構造データの表示・参照が可能なリンク構造データ制御手段と、プログラム・データを格納するメモリ、プログラムを実行するＣＰＵ、ネットワークとのデータ授受を制御するネットワーク制御手段、CD-ROM・DVDなどの記憶メディアを再生可能な二次記憶制御手段、表示手段を制御する表示制御手段よりなる情報処理装置において、該情報処理装置に記録された装置属性情報を取得する属性情報取得手段と、該装置属性情報に応じて表示するノード情報の少なくとも一部を変更可能なノード表示情報生成手段をもつことを特徴とする情報処理装置。５．文字情報・図形情報・静止画像情報・動画像情報・音情報・実行可能なプログラムなどのノード情報を含むノードと、参照可能なノードを示すノード内のリンクポインタから構成されるリンク構造データの表示・参照が可能なリンク構造データ制御手段と、プログラム・データを格納するメモリ、プログラムを実行するＣＰＵ、ネットワークとのデータ授受を制御するネットワーク制御手段、CD-ROM・DVDなどの記憶メディアを再生可能な二次記憶制御手段、表示手段を制御する表示制御手段よりなる情報処理装置と、ネットワークを介して該情報処理装置とリンク構造データの授受をおこなうサーバからなるシステムにおいて、該サーバに前記情報処理装置に記憶された装置属性情報を取得する属性情報サーバ取得手段と、取得した装置属性情報に応じて前記情報処理装置に送信するリンク構造データの少なくとも一部を変更可能なノード表示情報サーバ生成手段を設けたことを特徴とする情報処理システム。６．情報処理装置において、記憶メディアのメディア属性情報と該情報処理装置に記憶された装置属性情報を取得可能な該属性情報取得手段と、メディア属性情報と装置属性情報に応じてリンク構造データの少なくとも一部を変更可能なノード表示情報生成手段を設けたことを特徴とする情報処理装置。
【００７３】
以下の記載は、余談になってしまうが、演歌の女王石川さゆり様への、平成１１年からのファンレターであり、歌というものがいかに人生に大きな位置を占めているかの例示としたい。そして、本発明者は、石川さゆりさんのＣＤコレクションから、曲に合う、画像データを付して、オリジナルな画像付さゆり演歌を容易に持ち歩ける機器で、楽しみたい。現在の音だけのハードディスクタイプのものは、記憶できる曲数には満足しているが、パーソナルコンピューターによるＣＤからの転送において、創作性がないので、その作業に楽しみがないし、音楽に映像が付されないので充分には満足できない。本発明者も画像データの魅力にある意味では毒された人間でもある。
【００７４】
石川  さゆり  様  
拝啓
先日、近所の本屋をぶらりしておりましたら、貴女の２５周年アルバムが販売されていましたので、びっくりしました。えっもう２５周年が過ぎていたのかと思い年月の経つ早さに驚くとともに、仕事に忙殺されていたとはいえ、貴女の１ファンとして２５周年を忘れていた自分にいささか責任を感じたしだいです。とりあえず、ＣＤを買って貴女の歌を楽しんでおります。
ところで、私には大切な宝物がありますので、それを久しぶりに出してきて見ました。それは７年程前のＮＨＫの石川さゆりスペシャルを録画したものです。もう７年も前に新橋演舞場で２０周年リサイタルをやっておられたのですね。新橋演舞場でのファンの大きな声援が録画されていてあらためて楽しませていただきました。    あの番組で紹介されておられました佐保里様もすでに１５歳ぐらいの立派なお嬢様になられておられるのですね。
多々ある貴女の歌の中で、私が一番好きなのは何と言っても「津軽海峡冬景色」です。「天城越」もいいのですがやはり「津軽海峡冬景色」が何度聞いても一番いい感じです。学生時代、一人連絡船に乗り函館に行ったことがあるものですから。
さて、２００２年頃は３０周年になるのですね。不況で雇用状況のきびしい中、私が、リストラに合わずまだ仕事を続けられておりましたら、ぜひ３０周年記念リサイタルを見に行きたいと考えております。
日本全国のリサイタルのスケジュールが組まれていてたいへんだと思いますがお元気でがんばって下さい。かげながら応援させていただきます。
敬具
平成１１年１０月２８日
【００７５】
石川 さゆり  様
拝啓
お元気でおすごしですか。
趣味が、陶芸、スキューバダイビング、三味線、日本舞踊と聞いておりますからさぞかし毎日忙しく過ごされているものと思っております。
１１月６日には、「大阪新歌舞伎座公演ビデオ」が到着しましたので、さっそく拝見させていただきました。「夢の浮橋」おさん役、大変すばらしく十分に楽しませていただきました。練習ご苦労様でした。公演の中で芝居を演ずるのは始めてだったのですね。
長山洋子さんとか、新宿コマ劇場などで芝居と歌の２部構成でやられていますので、貴女もすでに何回か同じように公演されているものと思っておりました。
大阪の公演ですから、大阪雰囲気が基調に流れていて、特に阪神タイガーズに似せた黄色の着物とトラの耳を連想させたヘアスタイルは印象的でした。
私は、岐阜の出身で中日ドラゴンズファンですから、阪神タイガーズにはあまり興味がないのですが、村山投手が私と同じように「津軽海峡・冬景色」が好きだったと知って、村山投手に対する感性が変わりました。
このビデオを購入した動機の一つは、舞台裏が収録されているという案内がインターネットに出ていたことですが、着物の早代わりの様子が少し見えて楽しいビデオでした。最後の花道での衣装替で「これからは企業秘密」とナレーションされていたのもユーモアがありました。
歌の最終ラウンドは、「風の盆恋歌」「津軽海峡・冬景色」「天城越え」でしめられていて３大ヒット曲の連続でなかなかよかったと思います。
ところで、貴女の着物姿で一番印象に残っている着物があります。（１９９２年ＮＨＫヒットショーで「ホテル港や」を歌われた時の濃緑で緑の玉の柄の入った着物です。少し地味な着物ですが。ＮＨＫ石川さゆりスペシャル第1部の最後に収録されているものです。）ＮＨＫのビッグショーなどで「ホテル港や」を歌われるときがありましたら、もう一度あの着物を着られた姿を見てみたいものだと思っております。
敬具
平成１１年１１月７日
【００７６】
石川  さゆり  様
拝啓
朝の日本テレビのザ・サンデーで石川さゆり様がポニーキャニオンとの契約を切らされたとのニュースを見てびっくりしました。（他にも多くの演歌歌手の名が出ておりましたが、今後はどうなるのでしょうか。又どこかのレコード会社と契約を進められるのでしょうか。
もし、今後新曲が出なくなるとするとさびしいのですが、あるいはビッグワンコーポレーションが自費製作されてインターネット等で通信販売していくようになるのでしょうか。石川さゆり様ぐらいの歌手になればコンサートやディナーショー等の年間スケジュール回数も多くビッグワンコーポレーション（何人の会社か知りませんが）を支えていくのは可能だと思いますが。
数年前から「日本の名曲集」というのを出されすでに第９集が出ていますが、「２５周年記念アルバム」のようにＣＤ３枚組で５０００円だと手が出しやすいですね。（もっとも‘９９大阪新歌舞伎座特別公演のビデオは今買わなきゃチャンスがなくなると思い購入して楽しませていただきましたが。）
ポニーキャニオン契約解除後のその後の情報をインターネットのホームページに入れておいていただけるとありがたいのですが。
日本の演歌発展のためにもがんばって下さい。
敬具
平成１１年１１月１４日
【００７７】
石川  さゆり  様
拝啓
お元気ですか。
私は、１１月３０日に、貴女が出場されるＮＨＫの歌謡番組が放映されることを、ＴＶガイドで知って楽しみにしている今日この頃です。何を歌われるのでしょうか？  テーマが「都会の恋物語？」ということらしいので、私にはちょっと思いつきません。
ところで、２４日に上野駅のレコード店で、貴女の「２０世紀の名曲たち  第９集」を見つけましたので、さっそく購入するとともに、一応店に第１集〜第８集までを注文しました。（第１集は、１９９１年１１月２１日の発売ということを、２５周年記念アルバムに付いていた年表で知りましたので、古いものは恐らく手に入らないと思いますが、とりあえず注文してみました。何集手に入るか楽しみにしております。）
１０曲で３０００円は、少し高い気がしますが、自分の持ち歌でないものを吹き込んで発売するには、いろいろとロイヤルティも支払わねばならない仕組みになっているのでしょうね。
第９集を聞いて感じたことは、貴女はほんとうに何でも歌えるのだなあとつくづく思いました。まあ、歌手の第一人者と言えば何といっても、美空ひばりさんで、私も彼女の歌が好きですが、貴女の声には、ひばりさんにはない、秘めたる何かを感じます。
紅白歌合戦は、まだ出場者が発表されてないようですが、貴女は今年は何を歌われるのでしょうか？  これはやってはいけないことかもしれませんが、井上陽水さんの「ジェラシー」なんか歌われたら１９９９年の締めくくりとして最高かも、あるいは、貴女の記念すべき代表曲「津軽海峡・冬景色」がいいかもしれません。（「津軽海峡・冬景色」は何度聞いてもドラマチックですてきですね。）まあ、こんなことは私の考えることではないのですけれども。
１２月のスケジュールの忙しさは、インターネットで知っていますが、健康に気おつけてがんばって下さい。
敬具
平成１１年１１月２５日
【００７８】
石川 さゆり  様
拝啓
２６日の朝のテレビ朝日を見て驚きました。
石川さゆり様に妬みを持っている他のプロダクションの陰謀ではないかと思った程です。
テレビ朝日の解説では、金融関係の話は、私のようなビール会社の社員には、ややこしくてよくわかりませんが、貴女が、ビッグワンコーポレーションの社長をなさっていると聞き、事は重大だなと感覚的に思いました。
すぐＮＨＫに電話して、紅白歌合戦に出られるのか聞いてみましたが、社長をなさっていることを重要視しているようでした。ＮＨＫには、「石川さゆりの出ない紅白歌合戦なんて考えられない。」、と言ったら、「上に伝えておきます。」との担当者の返事でした。私共１ファンとしては、石川さゆり様が出ない紅白歌合戦なんて考えられませんが、たとえ紅白歌合戦に出られなくても、今後歌手活動さえ続けることができれば、と思っております。
今後の情報は、ニュースで得るのみですが、状況を見守っていくなかで、貴女が晴れ晴れとして歌手活動を再開される日が来るのを祈るばかりです。
今日は、「２０世紀の名曲たち」第３集〜第８集が到着したとの連絡を上野駅のレコード店から受け取り（第１集と第２集は廃盤とのことでした。）、さっそく受け取りに行こうと喜んでいるところです。  では、健康に気おつけて、周囲に負けずにがんばって下さい。                                                                    
敬具
平成１１年１１月２６日
【００７９】
石川 さゆり  様
拝啓
お元気ですか。周囲のことなど気にせず、がんばって歌って下さい。
今回、入手できた「２０世紀の名曲たち」第３集〜第９集は、ほんとうに大切な宝物です。ざっと一通り聞いた中では、「カスバの女」「船頭小唄」「ジェラシー」「いい日旅立ち」「花」などが印象的でした。（ただ石川さゆり様が歌うとみんな石川さゆり様の歌になってしまうようで、元の歌手が少し可哀想な気もしました。しかし、貴女がいい歌をとりまとめて歌ってくださるので、いちいち原曲を買わなくても済む点も便利です。ぜひ来年は、第１０集を出して下さい。
上野構内のＣＤ店を見ていたら、美空ひばりさんの「日本の名曲集（１集〜５集）」というのも置いてありましたので、買って聞き比べてみました。石川さゆり様の「船頭小唄」と美空ひばりの「船頭小唄」どちらが良いとは言えませんが、貴女の「船頭小唄」のほうが、何と言うか情緒があるような気がします。
声の幅とかそう言った価値判断よりも歌にいかに情緒が出ているかが一番大切だと思います。
紅白歌合戦の担当者には、毎日電話して、石川さゆり様が出場するように申し入れております。
ところで、今日３０日は、ＮＨＫで「歌謡ショー」が放映されますが、石川さゆり様が出場するかどうか確認したところ、出場するという話しでしたので、安心したしだいです。
それでは、元気にがんばって下さい。
敬具
平成１１年１１月３０日
【００８０】
石川さゆり  様
拝啓
お元気ですか。
紅白出場おめでとうございます。
１１月３０日に歌謡ショーが予定通り放映された時、これで紅白の出場は決まったなとは思いましたが、１２月１日のニュースで出場が決まったと知ったときはほんとうに嬉しく思いました。
毎日、私がＮＨＫに電話したのも多少の効果があったのでしょうか？２日朝のスポニチに若干の記事と紅白で歌われる曲が載っておりましたが、予想通り、「津軽海峡・冬景色」でした。１９００年代最後の年に貴女が一躍スターに躍り出た記念すべき歌を歌うのは、非常にすばらしいことだと思います。
デイナーショーへも一度ぐらいは行ってみたいと思いますが、３人も子供がいて、お金と、時間の点で、今は余裕がなくそのうちチャンスがあればと考えています。紅白歌合戦までは、ＣＤを聞いたり、歌謡ショーのビデオを見たりしてすごす予定です。
先の話ですが、３０周年記念リサイタルは絶対に行こうと思っております。
まずは、おめでとうございました。
敬具
平成１１年１２月２日
【００８１】
石川さゆり  様
拝啓
お元気ですか。
いよいよ１２月も中旬に入りつつあり、これからは、デイナーショーの開催が多く大変忙しいですね。
１２月７日のＮＨＫの歌謡ショーでは、紅白歌合戦のレビューがありましたが、石川さゆり様の歌がなく残念でした。いつも、北島三郎さん、五木ひろしさん、森進一さん、美川憲一さん、小林幸子さんは放映されるのに石川さゆりさんが今回出なかったのは残念、一度撮ったビデオも消そうかと思っております。（私自身、ＮＨＫにはつい忘れて葉書を出さなかったのですが。）
私自身は、１９７７年の貴女の紅白初出場の「津軽海峡・冬景色」を見てみたいのですが。私も古い人間になったのでしょうか。
今年の紅白では、石川さゆり様が最後に歌われるように、ＮＨＫに電話をして希望を伝えております。
昔は、石川さゆり様は、私よりずいぶん若いと思っていたのですが、私が、５０歳になった今日、貴女が４１歳になられたかと思うとそんなに歳が離れてるのでもないなあと、貴女には失礼ながら思ったりしております。（杉良太郎さんと伍代夏子さんのほうがもっと歳が離れてますものね。）
では、お元気で１２月のスケジュールをこなしてください。
敬具
平成１１年１２月８日
【００８２】
石川さゆり  様
拝啓
お元気ですか。
昨日１２月９日は、ＮＨＫのクローズアップ現代で、演歌について取り上げられていました。（貴女もご存知だと思いますが。）
演歌はこれからどうなるのでしょうか。なくなることはないと思いますが、やはり来年には、石川さゆり様に新曲が出ないとだめですね。（美空ひばりの「みだれ髪」クラスのものが。期待してます。船村徹先生とは、お付き合いはないのでしょうか。船村先生には、すばらしい作品がたくさんあります。日本の演歌会の為に、お二人が協力されたらいかがでしょうか。
比較的若手では、長山洋子様ががんばってますね。ああいう人があと３人ぐらい出てこないと日本の演歌歌手は、だんだん高齢化していきます。（まあ、日本の社会も高齢化しておりますが。）
私の会社のラガービールも、私が入社したころは、日本のビールの６０％を占めていましたが、今では２０％になってしまいました。若い人には、ラガービールを知らない人も多いのではないかと思います。
まあ、年月の流れの中での、はやり、すたり、は誰にも止められないのかも知れません。（私のような年代には、津軽海峡・冬景色に感動を覚えても、私の子供達は、何ら興味がありませんものね。）
しかし、来年はぜひがんばって下さい。私もファンクラブのメンバーになって応援しますから。
では、お元気で１２月のスケジュールを乗り切って下さい。
敬具
平成１１年１２月１０日
【００８３】
石川  さゆり  様
拝啓
猛暑のおり、お元気でお過ごしですか？
昨夜（８月１日）は、歌謡コンサートを見せていただきました。「風の盆恋歌」なかなかよかったですね。
その前の歌謡コンサートでは、弦哲也先生の「天城越え」の歌唱指導があり、あの歌はあのような組み立てになっているのかと改めて感心しました。
かなり前には、細川たかしさんと二人のビッグショーがありましたが、あれもよかったですね。石川さゆり様が出演する番組は、ほとんどビデオに撮ってあります。中でも一番は、３部作のＮＨＫ石川さゆりスペシャルですね。新橋演舞場の２０周年記念リサイタルを収録した第３部が一番良かったと思います。（でももうすぐ３０周年ですね。３０周年はどこで開催されるのでしょうか？新橋演舞場だと交通の便が良くありがたいのですが。）
大阪新歌舞伎座公演のビデオは、時々見ますが、あれだけ毎日公演が続くとかなり疲れたのではないでしょうか？
２５周年記念大全集も時々聞きます。ナレーションが入っているのがなかなかいいと思います。（「津軽海峡・冬景色」の前の石川さゆり様は、あの大全集で知るのみです。）
それに今年は、「２０世紀の名曲たち」の第１０集が発売されると思いますので、どんな曲が入っているのか楽しみにしております。（第１、２集は廃盤になっており残念ながら持っておりません。）
最近の歌では、「酔って候」がいいですね。アクションも決まっていますし。しかし、白いドレスを着て「津軽海峡・冬景色」を歌った時のイメージからは想像もできませんが。
では暑さに負けずがんばって下さい。
敬具
平成１２年８月２日
【００８４】
石川  さゆり様
拝啓
暑さが続くおり、いかがおすごしでしょうか。佐保里様と有意義な夏休みを過ごされたのでしょうか。
ところで、８月４日にＢＳで放送された素晴らしき音楽仲間「名詞・名曲・歌景色」はいい番組でしたね。娘にビデオを撮ってもらって楽しませていただきましたが、ほんとうにいい番組で、何回もビデオを見ております。
阿久悠先生の「愛すべき名歌たち」の本の中に「津軽海峡・冬景色」の一節があり、その中で歌碑が青森駅と竜飛岬に立っていると書かれており、ああ２ヶ所にも歌碑が立っているのかと感心しました。「津軽海峡・冬景色」は昭和５１年１１月の歌で、私が東京に出て社会人となってから４年目の歌です。私が社会人となったのは、昭和４７年で、貴女がデビューされたのは、昭和４８年でしたから、意外に同じような時代を生きてきたものだなあと思います。（もちろん歳は、だいぶ違いますが。）
それにしても、「津軽海峡・冬景色」は不思議な歌ですね。歌詞は比較的短いのに何回聞いても新鮮な感じがします。
１０月３０日は、「天城越え」の歌碑の除幕式が行われるそうですが、今までにどれだけできているのでしょうか。
私は、茨城県なので、塩屋埼にある「みだれ髪」の歌碑を見たことがあるだけですが、歌碑というのはなかなかいいものだなあと思いました。機会があれば、竜飛岬の歌碑を見てみたいものです。
敬具
平成１２年８月２２日
【００８５】
石川  さゆり様
拝啓
お元気でお過ごしのことと思います。「人生情け船」なかなかいい曲ですね。さっそくシングルＣＤを購入して聞いております。
そうこうするうち、ＮＨＫ・ＢＳ放送で１１月２日に「青山劇場・音楽会夢ふっふっふっ・・・ふ」が放送されることを知り、休暇を取って見させていただき、ビデオにも撮りました。
石川さゆり様のビデオは、９２年のＮＨＫ石川さゆりスペシャル（３回）、９９年の「夢の浮橋」と今回のもので３本揃ったことになります。もちろん、ＮＨＫの歌謡コンサート、フタリのビッグショーなども最近はたいていビデオ撮りしていますので、合計の本数は覆いのですが。
１１月１０日の長山洋子さんとのビッグショーは、前々からＴＶガイドで知って楽しみにしております。
インターネットの普及で石川さゆり様の場合は、ファンのサイトが充実しており、楽しみにしております。最近、「こころの詩を・・・」というのが掲載されていて、読んで感動しました。歌以外にもいろいろと趣味を持たれ、お嬢様も良く育っているのを感じ、石川さゆり様は、すばらしい人だと、あらためて感心いたしました。
１２月２０日は、「２０世紀の名曲たち・第１０集」が発売されるという情報を入手し、楽しみにしております。
さて、来年の５月、７月は明治座と新歌舞伎座で長期公演ですね。明治座には、是非、行きたいと思っております。では、お元気で。
敬具
平成１２年１１月９日
【００８６】
石川  さゆり  様
拝啓
お元気でお過ごしのことと思います。１１月１０日の長山洋子様とのビッグショー楽しませて戴きました。
ところで、インターネットを見ておりましたら、「暖流」のＣＤがまだ発売されていることを知りさっそく購入しました。
また、１１月１１日には、浄蓮の滝へ行って歌碑を見て来ました。石川さゆり様のお顔も入っており、なかなかのものでした。写真にも、さゆり様がちゃんと写っておりました。
では、年末にかけ、デイナーショーでお忙しいでしょうが、元気でご活躍下さい。
敬具
平成１２年１１月１３日
【００８７】
石川  さゆり  様
拝啓
お元気でお過ごしのことと思います。
１２月の猛烈なディナーショーのスケジュールも終わり、あとは紅白歌合戦に向けて、ひと段落といったところでしょうか。紅白の歌は、私の予想通り、「津軽海峡・冬景色」でした。トリかなあ、と思っていましたが、これは思惑が外れて残念です。（昨年は、紅白出場がどうなるものかと、心配いたしましたが。）
１月の下旬は、かなりのスケジュールですね。それまでは、お嬢様と一緒に、
４駆を運転してスキーに出かけられるのでしょうか。
５月には、明治座で５月公演をなされますので、楽しみにしております。（会社の通勤経路の途中にありますから。）
それから、「石川さゆり２００１年」ＣＤアルバムと、「２０世紀の名曲たち・第１０集」を購入しました。「２００１年」アルバムの方は、持っていない曲は「酔って候」だけでしたが、名曲がきちっと収まっていて楽しませていただいております。「２０世紀の名曲たち・第１０集」は、名曲揃いでこれも楽しませていただいております。最後に「津軽海峡・冬景色」が収録されていたのがさすがですね。（第１集と第２集が入手できないのが、残念ですが。）
３０周年には、ビッグアルバムが出ることを、今から楽しみにしております。
敬具
平成12年12月26日
【００８８】
石川  さゆり  様
拝啓
お元気でお過ごしのことと思います。
佐保里様の留学から帰ってこられたということで、内心ほっとされているのではないでしょうか？
石川さゆり様は、２１世紀に入ってから大活躍ですね。
１月４日のＮＨＫ放送の石川さゆりスペシャル。
４月２０日の小林旭さんとのビッグショー（この番組では、貴女はほんとうに楽しそうにしておられましたね。カッコいい男性と一緒だと貴女もより美しくなりますね。「ついて来るかい」を小林旭さんが歌われた時など、ほんとうに素敵なお二人でした。）
５月には、明治座で特別講演がありましたが、私は、２０日午後の部１列１９番の席を採れましたので、よく見えました。津軽海峡・冬景色から始まって、天城越えでエンディグですが、我々にも、天城越えが始まると、とうとう終わりかということが分かり、寂しい気分になります。劇の部は、歌の部ほど、楽しくないのは何故でしょう。歌のほうが、劇よりも、劇的だということでしょうか？（けっして、貴女の劇が楽しくないというわけではありません。）
ますますの、ご活躍を期待しております。
敬具
平成13年6月11日
一体、小林旭という人は、でっかい声を、のびのびと出し、しかも、何気に、なんでもないかのように、歌う人である。声量も声域もはみ出るほどでありながら、そんなに真剣に、悲壮に、歌う、ということがない。楽しそうに歌うか、または、さっと歌う。実に謎のお方である。これぞ男である、その男のありようが、さらりと大声で歌われている。やっぱり、これぞ〔アキラ〕である…。
【００８９】
石川  さゆり  様
拝啓
お元気でお過ごしのことと思います。
先日、インターネットでニュースを知ったのですが、５６億円の返還訴訟で訴えをおこされているとか？  無事訴訟に勝利されることを祈っております。私のような、ただのサラリーマンにとっては、５６億円などというお金は想像できないもので、何の手助けもできません。ただ無事、この難曲を乗り切られることを影ながら、応援するのみです。
ところで、１０月１３日には、幸田までコンサートに行って来ました。田舎の田園の中に立派な公民館が建っているのが、印象的でした。歌の構成は、野木町の町民ホールの時と同じだったかなあと思いました。「津軽海峡・冬景色」も「天城越え」も何度聞いてもいいのですが、最近は、もう一つ、「北の女房」も傑作だなあと思うようになりました。この曲も何度聴いてもいい。ＣＤを聞いている時「北の女房」になると一度聞いてから、一コマ戻してもう一回聞いてから、次へ進みます。（今は、石川さゆり２００１を聞いていますので、次の曲は、「津軽海峡・冬景色」になります。１２月には２００２が発売されるようですが、最初の曲が「北の女房」、エンディングが「津軽海峡・冬景色」「天城越え」と構成されると、よいと思っております。そして、その前に「涙つづり」が入っていて。）
最近のコンサートでは、二十世紀の名曲たちの中から、数曲歌われますが、「カスバの女」と「再会」をぜひ生で聞きたいと思っております。
コンサートの時、思わず「カスバの女」と声を出したくなりますが、勇気がなく声が出せません。
それでは、「石川さゆり音楽会」でまた、生の歌が聞けることを楽しみに、失礼いたします。（ディナーショーまでは手が出ませんが、退職する年には記念に行こうかなと考えております。）
では、お元気でお過ごし下さい。（金曜日は、また名古屋ですね。幸田より、名古屋のほうが、列車の便がいいと思います。がんばって下さい。）
敬具
平成13年10月15日
【００９０】
石川  さゆり  様
拝啓
１１月３日のスポニチのインターネットニュースで知りましたが、「世田谷区の家が他人の手に渡ったとか」、これからどこにお住まいになるのか、私の知る由のないところですが、気にならないわけではございません。どうか、気を落とさずに、いままでのように、歌い続けていただけたらと思います。（とは言っても、額が額だけに先が見えないのではとも想像しておりますが。）
１１月３日の昼の部の「石川さゆり音楽会」に行って来ました。月日の経つのは、早いもので７月２８日の申し込みから、すでに３ケ月以上が流れていました。今年の音楽会は、石川さゆり様の歌を存分に聞かせていただいたという充足感でいっぱいです。（ただ、最近、私の好きな「北の女房」がなかったのがちょっと残念です。前にも書かせていただきましたが、「カスバの女」と「再会」を一度生で聞きたいと思っております。
今年の石川さゆり様のコンサートスケジュールを振り返ってみましたら、３６日程度（その中で、５月、７月は長期公演ですから、日数にすると９０日程度になるのでしょうか？）。さらに、１２月はディナーショーが９日（ディナーショーは、いったいどんな身分の人が行かれるのかなあという感じですが）。加えて、時々ＮＨＫなどの放映番組への出場があって、
まったくお忙しい方だなあと思っております。
今年は、明治座と野木と幸田と青山と１０日の千葉が、私の行ったコンサートになります。土日で関東の公演というものを押さえていくと、さほど数が多くないのですね。幸田は少し無理をしていきましたが。
１２月５日には、「石川さゆり２００２年」ＣＤ発売で、３月には３０周年記念のＣＤが発売されるとのことであり、今から楽しみにしております。３０周年記念リサイタルは、どこで開催されるのでしょうか、これも今から楽しみです。私は、昭和２４年生まれ（いわゆる団塊の世代）ですが、来年ちょうど勤続３０年を迎えます。会社の雲生きもだんだん悪くなり、数年後には、リタイアの運命かとも感じている今日この頃ですが、ささやかながら、石川さゆり様の応援だけはしていこうと思っております。島倉千代子さんのように、長く歌い続けて下さい。
では、お元気で１１月から年度末にかけての、スケジュールを乗り切って下さい。
（ＮＨＫ、には２年前？の時のように、微力ながら、紅白歌合戦出場のアピールを行っております。）
敬具
平成13年11月5日
【００９１】
石川  さゆり  様
拝啓
お元気でお過ごしのことと思います。
石川さゆり音楽会、横須賀コンサート、千葉コンサートと大変お忙しいですね。
あと、１１月は２日？程、長野、新潟でコンサートがあり、その間ＮＨＫの録画取りコンサートがあり、そのあとは、１２月のディナーショーが詰まっています。
千葉のコンサートは、私にとっては、今年最後のコンサートということで、行って来ました。「北の女房」に始まり、「風の盆恋歌」「涙つづり」「津軽海峡・冬景色」「天城越え」で終わるパターンですが、何度コンサートに行っても、その時間陶酔してしまいます。
「紫陽花ばなし」のところなどは、いつものところで、いつものように「さゆりちゃん、日本一」いう声がかかり、「津軽海峡・冬景色」では、さゆりコールがあり、貴女のコンサートの流れにもだんだん慣れてきて、奥行きの深さを楽しんでいるしだいです。
振りにも、型が出来上がってきているのだなあと思います。歌舞伎、能、狂言等の古典芸能も最終的には、型に完成させていっていますので、貴女の歌も、近い将来古典芸能の境地に達するのではないかと感じております。
ＮＨＫには、毎日電話して、紅白歌合戦出場を要望しております。
とりあえずは、１２月５日発売予定のＣＤアルバムを楽しみしております。
では、お元気で。
敬具
平成13年11月12日
【００９２】
石川  さゆり  様
拝啓
お元気ですか。
１２月は、ディナーショーで大忙しですね。がんばって下さい。
１２月９日から始まって１２月２３日に終了の予定となってますが、１２月１４日には、私の故郷、岐阜にも行かれるのですね。
ところで、紅白出場おめでとうございます。ＮＨＫの二人のビッグショーとＢＳ日本の歌の番組に出場されることがわかっていましたので、おそらく出場は、間違いなしと思っておりましたが、心配でしたので、毎日昼休みにＮＨＫに電話しておりました。
歌われる歌は、「涙つづり」でしょうか？  インターネット情報では、「能登半島」という予想も出ておりますが。私、個人的には、「北の女房」「漁火挽歌」等（すばらしい曲がいろいろあります。）が好きです。
２４回目の連続出場（出産の年を除く）ですから、立派な実績ですね。和田アキ子さんが２５回というのが、なんとなく悔しい気がします。また、森昌子さんの再登場には、びっくり仰天、どこでどうなっているのでしょうか？今さら、出て来なくてもという感じです。
まあ、人は人、石川さゆり様は、日本演歌界の女王として、立派に歌われることを期待しております。
まずは、おめでとうございます。
１２月を元気で乗り切って下さい。
来年は、３０周年リサイタルを心待ちしております。
敬具
平成13年11月30日
【００９３】
石川さゆり  様
拝啓
お元気でお過ごしのことと思います。３０周年記念、ＣＤの製作にお忙しい毎日と思います。
今年から、ファンクラブに入会しました。さっそく、２００１年さゆり音楽会のビデオと中野サンプラザのコンサートチケットの予約を行いました。
ところで、２２日の午前１時１５分〜４５分の番組で、紅白歌合戦以来、今年最初にテレビで貴女を拝見したことになるのでは？
昨年は、１月４日にＮＨＫの放送がありましたが。
毎日の通勤で、２００２年石川さゆり全集を聞いております。ひょっとしたら、貴女が歌われた回数よりも多く、天城越え等を聞いているかもしれません。なにせ、毎日の往復１回づつですから。
貴女の歌は、どの歌も古さを感じさせない不思議な魅力を持っています。きっと、歌唱法がまっすぐだからだと思います。
貴女のお嬢様もすでに、１７歳ぐらいでしょうか。私の一番下の娘が今年２０歳になりました。
私は、１９４９年生まれですが、最後の子供が、３歳しか違わないので、よりいっそう貴女に親しみを感じております。
ＣＤの曲順とコンサートの曲順は、意図的に変更してあるのでしょうか？
ＣＤも「北の女房」で始まり、・・・・・・・「津軽海峡・冬景色」「天城越え」で終わるのが、いいと思うのですが。２００２ＣＤには、「涙つづり」が入っているのは歓迎ですが、「北の女房」が入っていないのが残念な点です。
３０周年記念ＣＤも楽しみですが、３０周年記念リサイタルも楽しみです。
昨年は、野木や幸田町までコンサートを見に行きましたが、田園の中の文化会館で、いい思い出になりました。それから、青山の音楽会も盛りだくさんで充実していました。
敬具
平成14年1月22日
【００９４】
石川さゆり  様
拝啓
お元気でお過ごしのことと存じます。
２月９日の冬・北の国からコンサート、２月１３日の徹子の部屋を楽しく視聴させていただきました。娘さんが、１８歳の誕生日を迎えられ、貴女も？歳の誕生日を迎えられ、１〜２月は、誕生日続きでしたね。我が家も、１月は、妻？歳、次女も２０歳の誕生日を迎えました。
３０周年記念アルバムは、３０００円らしい？ようですが、もっと高級なものかと期待しておりました。もっとも、天下の石川さゆりさんですから、５０周年まで続くのかとも思います。そのころは、私は、恐らくこの世にいないと思いますが。船村徹先生が、５０周年を迎えられたとかで、正月にＮＨＫの記念番組を見ましたが、なかなかいい番組でした。
私の一番好きな歌は、「津軽海峡・冬景色」、次が「別れの一本杉」、「天城越え」、「北の女房」です。
「別れの一本杉」は、貴女も２０世紀の名曲たちに入れておられますが、春日八郎、美空ひばり、大月みやこ、香西かおりさんが歌われている「別れの一本杉」ＣＤも持っていますが、やはり春日八郎さんの歌が一番だと思います。これは、「津軽海峡・冬景色」は、貴女の歌が一番だと感じるのと同じことでしょうか。
ところで、ＮＨＫのコンサートの「津軽海峡冬景色」字幕に「・」が入っていませんでしたのでＮＨＫにその旨指摘をしました。もっとも、阿久悠先生は、「・」は、要らなかったと本に書かれておりますが。
では、益々のご活躍を
敬具
平成14年2月18日
【００９５】
石川さゆり  様
拝啓
お元気でお過ごしのことと思います。
３０周年のアルバムＣＤが入手（つまり、まだ聞いていない。というのは、上野駅のＣＤ屋さんに予約を入れておいたのに、注文を忘れていたのだ。２４日に、もう入荷していると思い、上野駅まで行ったのだが、そこで、発注ミスが分かった。と言う訳で、今日２６日午前に入荷の連絡が入り、昼休みを利用して引き取りに行ったという訳です。）したので、今日の帰りの列車の中での楽しみです。
２５周年のアルバムを入手してから、早５年が経過したということか。２５周年のアルバムは、年代記のようになっており、貴重な品物です。
昨日は、ファンクラブ会誌が届いていた。終わりの頁に会員の通信コーナーがあるが、読んでいくと、・・通勤電車の中で貴女のＣＤを聞いているという人がいる・・同じような人がいるものだと思いつつ読んでいくと、どうも自分が出したファンレターのようだ。パソコンのファイルを見ると１月２２日に同内容のファンレターを出している。恥ずかしいやら、嬉しいやら変な気持ちです。しかし、パソコンというのは、ある意味でありがたい、自分の過去のレターを見ることができます。
１月２２日には、２００２年大全集を聞いていると書きましたが、今は、２００１年大全集に切り替えております。理由は、「北の女房」が入っているかないかです。３０周年記念アルバムも「北の女房」がないので、通勤で聞くのは、２００１年大全集になるかもしれません。
ところで、今年のコンサートも、最初は、「北の女房」から始まるのでしょうか。年齢を経ると、変化よりも型を好むようになるようです。今年のコンサートも、「北の女房」で始まり、・・途中に「紫陽花ばなし」があり、・・最後は、「津軽海峡・冬景色」「天城越え」と終了する型を期待します。
では、４月２０日の中野サンプラザのコンサートを楽しみにしつつ。
敬具
平成１４年３月２６日
【００９６】
石川さゆり  様
拝啓
“さゆり”は、ハイレベルなアルバムですね。
さゆりさんの歌唱力がぞんぶんに発揮されているという感じです。
歌には、最初に聞いた時から「これはすばらしい」という歌（例えば、「津軽海峡・冬景色」）と、だんだんいいなあと感ずるようになる歌（例えば、「港唄」）とがあると思いますが、今回のアルバムは、後者の歌が多いかなと思います。
最初から、どかんと感じたのは、「故郷によろしく」と「風花温泉から」でした。特に「故郷によろしく」はいいなあ。十三湖はどこだろうと思い、インターネットで調べてみましたら、竜飛岬の近くなのですね。蜆というのも趣きがあります。蜆の入ったお味噌汁、美味しいですよね。そのうちに十三湖にも歌碑が立つのかなあと思います（竜というのは不思議な字で、竜飛岬も昔の地図では、龍飛岬と書かれています。私の竜ヶ崎市も正式名は、龍ヶ崎市です）。風花温泉というのは、実在しないのでしょう。インターネットで何も出てきませんから。作曲はどちらも岡千秋さんで、「北の女房」、「波止場しぐれ」も同じですね。
岡千秋さんは、ヒットを出したのがやや遅かった作曲家だったかと思います。でも、もう２０年以上になるでしょうか。岡メロディーには、なんとも言えない、“演歌”の良さを感じます。
さて、４月からは、コンサートの開始、５月末は、九州で「故郷によろしく」でしょうか。
ところで、今日は、ＮＨＫＢＳ２で２００１年のさゆり音楽会の再放送があるので、ビデオの録画予約をしました。初回の放送分ですでに録画してあるのですが、擦り切れ対策のために。
ただ、私としては、普通のコンサートのビデオも入手したいと思っております。普通のコンサートは、おそらく実質９０分程度だと思いますが、貴女の歌だけが凝縮されているので、こういうのもほしいなあと思います。
では、お元気で。
敬具
平成１４年４月２日
【００９７】
石川  さゆり様
拝啓
中野サンプラザのコンサートすばらしかった。
何が一番印象的だったか？  それは旅情三部作から歌われたことです。プログラムを見て、どうして最初に「津軽海峡・冬景色」かなと思ったのですが、そうか、貴女の歌手としての実質的な原点は、この歌にあったのだったなあと改めて思いました。あのでかい中野サンプラザが満員で、拍手の迫力もあり、いい記念コンサートでした。列を作って入場を待っている間、貴女のファンは、年を取った人が多いなあと感じましたが、よく考えると自分もその仲間か・・。
「人生情け舟」「裏町夫婦草」のギターバージョンも良かった。ギターバージョンは、歌のうまさが際立つのですね。もちろん、例によって、「天城越え」がラストでしたが、トークの中で「天城越え」は最初の頃は売れなかったとの話がありましたが、実は私も、カラオケで挑戦してみたのが、この歌を好きになったきっかけです。今は、自分で歌うより、もっぱら聞くのを楽しみとしておりますが。配布されたプログラムと３０周年記念ということもあり、今日はアンコールＯＫだと、自分も含めて、みなさん分かっていたようです。
ところで、今日のコンサートで改めて思ったのですが、石川さゆりって、美人だなあ、歌がうまいなあ、元気だなあ、この調子では、５０周年までいくかもしれないなあ、北島三郎クラスになるなあ、ということです。
コンサートに行く途中で聞いて行ったのが、２０世紀の名曲たち第１０集、「再会」が好きなんです。それに、最後に「津軽海峡・冬景色」が入っているし。
家に帰っても、２５周年大全集を取り出して、貴女の歌を聴いていました。ただ、「暖流」は、このアルバムには入っていないので、シングルを取り出して聞いてみましたところ、声がかなりかわいらしい、「暖流」のシングルＣＤがいつの吹き込みのものかは知りませんが、声も変化するのだなあと感じました。「津軽海峡・冬景色」もそうですが、確実に歌がうまくなり続けていますね。
土浦のコンサート予約してみるかな。
では、お元気で。
敬具
平成１４年４月２２日
【００９８】
石川  さゆり  様
拝啓  
お元気のことと思います。
さゆり様は、いつもお元気な姿をテレビで見せてくれますので。
九州の公演は、いかがでしたか。「故郷によろしく」でしたね。
でも、東京程、楽しい所はないですね。しかし、空気が車の排気ガスで汚れているのが問題ですね。東京に長く住んでいると、遺伝子が変異を起こすかも。
私は、茨城から東京へ勤務していますので、家へ帰れば、すがすがしい空気に満ちています。私の故郷は、岐阜県です。まだ両親だけが、各務原市に住んでいます。
５月の連休に故郷に帰って、私が、石川さゆりさんファンであるという話を、友人としてきました。
友人は、石川さゆりさんは、７００万〜８００万出さないと、来てくれないなあと話しておりました。
当然ですね。今や、歌謡界の女性Ｎｏ．１の地位に君臨している訳ですから。
最近、自宅では、１９９２年のＮＨＫの「石川さゆりスペシャル」のビデオをよく見ています。唄声に、だんだんと迫力が出て来ていますね。１９９２年頃は、今よりも可愛らしい声のように、感じます。この点、美空ひばりさんが、最初から成熟していたのとは、まったく異なりますね。俳優で言えば、小林稔侍さんのように、歳とともに、だんだん味のでてくるスタアでしょうか。ところで、６月９日は、私の誕生日（５３歳）ですが、ちょうどファンクラブの会と一致しました。
記念すべき誕生日になりそうです。
ではお元気で。
敬具
平成14年5月31日
蜆取っても  貧しくて  身を切る寒さの  十三湖、
空から果てなく  降る雪に  このまま春は来ないよな、
そんな気がして・・・・  ヒュルルーヒュルルーヒュルルー  風が泣くたびに、
上りの夜汽車を思い出す  都会でゲンキにやってると、
仮眠のベットで  海老折り寝  棄てた訳じゃない  せめて夢で飾れ、
故郷に  故郷に  あぁ  よろしく。
【００９９】
石川  さゆり  様
拝啓
「さゆりファングラブの集い」の写真を送付させていただきます。
「いいのがあれば、送って下さい」とおっしゃっておられたものですから。
望遠レンズが安物で、手ぶれをしているので、ピントがややボケているものが多かったのですが、その中でも多少良さそうなものを送付いたします。
６月９日は、５３歳の良き誕生日でした。日本がロシアに勝ちましたたし。
家族は特に何もしてくれなかったけれども。
歌手の歌う時、シャッターを押す気分は最高ですね。
稲本選手のゴールを捉えたカメラマンも最高の気分だったろうなあと思います。
でも、歌手の場合は、通常撮影禁止だから、特にさゆりさんに向かってシャッターを押すことのほうが、より最高の気分ですね。
ＮＨＫの企画でグランドキャニオンに行かれるとお聞きし、放映されるのを今から楽しみにしております。まあ、中国は、インターネットでも拝見しましたが、たいへんなところですね。でも、そういう生活をして、人類は、５００万年も生きつづけてきたかと思うと、文明に侵されてしまった人類は、今後何年生きつづけるのやらと思います。
私の故郷は、岐阜ですが、岐阜に帰ると、東京より少し原始の臭いがします。龍ヶ崎は、東京の通勤圏ですから、もう原始の営みの臭いは消えました。
そういえば、テレビで放送されていたのですが、グランドキャニオンの渓谷も長い年月を経ると消滅するそうですね。ただ、その時には、地球が肥大化した太陽に飲み込まれているかもしれませんが。そう考えると３０年なんて、一瞬ですね。
私は、入社して、満３０年が経過いたしました。さゆりさんのように、年々歌が上手くなるのではなく、年々仕事能力が低下していきますので、切りのいいところで、第3の人生を頭に描いているところです。
敬具
平成１４年６月１１日
【０１００】
石川  さゆり  様
拝啓
お元気ですか。  歌手で誰が一番上手いか、これはあまり意味のない問いだと思います。１００メートル走であれば、１００分の１秒の差まで、あるいは写真判定で決められるでしょうが、歌の上手さは、そういう物差しでは計れないでしょう。ただ、どの歌手が一番好きかというと、はっきりします。私の場合、女性歌手では、当然“石川さゆり”さんです。男性歌手となりますと、過去の人も含めれば、高音の伸びのあった春日八郎さん、低音の魅力のあった石原裕次郎さん。現役歌手では、小林旭さんがいいですね。小林旭さんとさゆりさんの二人のビッグショーもなかなか良かった。もちろん、ビデオにとってあります。「津軽海峡・冬景色」のデュエット版は、あれが最初で最後かな？私が貴女を最初に知ったのは、もちろん「津軽海峡・冬景色」からですが、あの年は、「津軽海峡・冬景色」がレコード大賞を取るべきはずが、「北の宿から」になったのはおかしいと思った記憶があります。その後、私は仕事に追われて貴女の歌のことは、頭からはなれがちであったのですが、急に着物姿になって歌われるようになって、いきなりふけ姿になってどうしたのかと感じた記憶があります。今から思うと、青春歌手から、大人歌手へ変身する区切りが早めに必要と判断されてのことと思います。
昨年の年末に昭和５２年の紅白歌合戦が放映され、これもビデオに撮りましたが、あの当時の歌い方は、まだまだ未熟というか、声帯が成熟しきっていないという感じだと改めて思いました。だから、いくらヒットしているとは言え、レコード大賞にはならなかったのかとも私なりに考えております。
２年程前、ＢＳ放送で、貴女と北原ミレイさんが出演した阿久悠さんのトーク番組でのギターバージョン「津軽海峡・冬景色」と５２年のとを比べると、まったく歌い方が違いますね。最近のほうが、断然良いと思います。
今度は、土浦のコンサートに行きますが、昨年は、幸田まで行きました。幸田町は、田舎だったなあ。野木も。実は、私、龍ヶ崎に住んでいますが、土浦の駅で降りたことがないのです、用事がないものですから。さて、日本は決勝トーナメントに出られるか、落ち着かない一日です。
敬具
平成１４年６月１４日
【０１０１】
石川さゆり  様
拝啓
お元気ですか。２２日放送の「天下をとった名曲・・？」、２５日放送のＮＨＫ歌謡コンサート「美空ひばり・・？」ご苦労様でした。２２日の「天下をとった名曲・・？」で一番感じたことは、“杉良太郎さん、なかなか歌がうまいなあ、かっこいいし”。さっそく、ＣＤ店で３６曲入りアルバムを買ってしまいました。でもほんとうにいい曲は、“すきま風”１曲だけだなあと思いました。今から２０年以上前の歌でしょうか。
歌詞と曲がかみ合って、人の心を揺さぶらせる程のものに仕上がり、それを歌手が歌い込んだ時はじめて、名曲になると思います。一曲、生涯歌える名曲を持っていれば、立派な歌手（代表は、布施明さんとか、さくらと一郎）だと思います。２曲以上持っていれば大歌手だと思います。
その点、さゆりさんには、名曲が多数あって、超大歌手です。まあ、なんと言っても、「津軽海峡・冬景色」「天城越え」「風の盆恋歌」「北の女房」が卓越していると思いますけれども。その中でも「天城越え」が一番でしょうか。
美空ひばりさんとは、声の質が違うので、また美空さんは、強烈な個性を歌に造り上げているので、貴女には、美空さんの歌は、あまり向かないと思います。何年か前にＣＤで出された「愛燦燦」は良かった。でも、２５日は、他の歌手がこれを歌ってしまいましたし。まあ、美空さんの歌は、天童よしみさんにまかせとくのが良いと思います。私は、天童さんを、始めのころは、美空ひばりさんの親戚の人かと思っていました。でも、天童も、どこか違うのだなあ。だいたい「車屋さん」などは、美空さんが歌わないと誰がうたってもしっくりこない。「天城越え」も同じでしょう。本人と歌声が一緒になってイメージを作ってしまったから、誰も歌い継ぐことは、現実には、できない。端やんの「かえり船」のようなものです。本人が歌わないとダメ。
美空ひばりさんの「昭和の名曲集」と貴女の「二十世紀の名曲たち」を聞き比べると、特に「カスバの女」「船頭小唄」等、石川さゆりさんの方が、くどさがなくていいなあと思います。
ところで、インターネットで調べていましたら、貴女が、「ベサメムーチョ」を吹き込んでいるアルバムがあることを知り、ＣＤ店で取り寄せてみました（ベサメムーチョは、ラテンで最もすきな曲ですから）。本物のベサメムーチョとは曲が違っていましたが、なかなかいい曲でした。それから、「捨てられて」も良かった。このアルバムは、「天城越え」で始まり、「北の女房」「津軽海峡・冬景色」で終わるすぐれものですね。
他人の話になって、恐縮ですが長山洋子さんは、いい曲を持っているのに、何故もっと絞り込んで歌っていかないのかと、他人事ながら思います。名曲が名曲にならずに忘れ去られていくのは悲しいことですね。
敬具
平成14年6月26日
【０１０２】
石川  さゆり様
拝啓
お元気ですか。
昨日ファン倶楽部の会誌が届きました。なかなか、表紙が良く出来ていると思いました。
本人も良いが、着物がまたいい。柄もくどくなくて良いし、色もいい。
ところで、明日は、土浦のコンサートのある日だ。
半日休暇を取って、夜の部へ行くことにしてあります。
多分、中野サンプラザの時と同じ構成かなと思っているのだか、いずれにせよ楽しみだ。
少し、横側の席だが、前から５列目だし。さゆり様は、特急に乗っていくのだろうか、車だろうか。きっと、特急だと思うのだが。
上野と土浦は、特急で４５分だから、その日のうちに家に帰れますね。「さゆりちゃん、日本一」と声を掛ける人また来ているのだろうなあ。歌舞伎もそうだが、上手く声を掛ける人がいると、凡人は、声が出ない。まあ、プロの掛け声を聞くのも楽しみだ。旅情三部作また今度も聞けるのか、楽しみだ。
敬具
平成14年7月8日
【０１０３】
石川さゆり  様
拝啓
土浦の田舎へお疲れ様でした。土浦コンサートは、良かったのだけれど。
さゆりさん、少しお疲れの様子に見えました。ちょうど一ヶ月前、ファンクラブの集いで、お顔を拝見しました時には、お顔がふっくらとしている感じでしたが、昨日は少し顔が痩せて見えました。ヘアーメイクのせいか？
“旅情三部作”と“天城越え”、途中の“紫陽花ばなし”、さゆりさんの魅力が凝縮されていました。しかし、土浦市民会館は、行きは遠かった。場所を知らなかったこともあったのですが、道路工事中の道を選んでしまって、早めに家を出たから良かったが、約２０ｋｍに１．５時間もかかってしまいました。帰りは、３０分でしたが。コンサートは東京で行なわれるものに、行くのが、結局一番だと思いました。地下鉄の便利さに馴れてしまった私には、車の出し入れ自体がめんどうです。
さゆりさんは、ドライブが好きだとのことですが、私は、渋滞が嫌いで、ドライブはめったにしません。子供が小さい頃は、よく奥日光までドライブしましたが。今は、ついてくる子供はいなくなりましたし。
今度は、青山劇場が楽しみですが、青山が終わると２００２年も終わりに近づくのかな。ディナーショーは、退職する年の記念にとっておこう。
妻は、さだまさしのファンで、好みが違うし。
土浦市民会館へ行き返りの途中、ポニーキャニオン時代の愛燦燦を聞きました。森進一？の“冬の蛍？”が良かったです。
敬具
平成14年7月10日
【０１０４】
石川さゆり  様
拝啓
お元気ですか。８月１６日放送の「そして歌は誕生した・１４集」“風の盆恋歌”すばらしかったです。なかにし礼先生が、歌作りでは作詞が一番中心というようなニュアンスが少し引っかかりましたが、まあ立派な先生の言われる事ですから、そうだということにしておきましょう。なかにし礼先生が、貴女の歌手としての魅力を述べているところは、さすがに、凄い表現をされるものだと思いました。要するに「この世の世界と、別の世界を繋ぐ表現ができる歌手である」と表現されたところです。
インターネットで調査しましたら、７月２２日、２３日に越中八尾町で撮影されたことを知りました。暑い中、ご苦労様でした。第１集の“天城越え”を見過ごしてしまい、ビデオ撮りできなかったのが残念です。
グランドキャニオンはいかがでしたでしょうか。放送される日を楽しみにしております。ファンクラブの案内によると、さらに３０周年記念アルバムが発売されるようなことが書いてありましたが、ほんとだとすれば、これも楽しみです。
“名曲を歌い継ぐ”ということが時々言われますが、歌手の方が、強烈なインパクトを与えて歌った歌というものは、他の歌手が歌い継ぐのはなかなか困難だと思います。貴女の「天城越え」「津軽海峡・冬景色」「風の盆恋歌」「北の女房」・・等等。歌い継ぐのは至難の業です。現在は、音声がデジタル化して保存されるようになりましたので、オリジナル歌手の歌声がかなりの期間残されていくものと思います。
９月１日には、八日市場でコンサートがありますが、八日市場というのは、意外と遠いのですね。青山劇場まで、がまんすることにしました。
「大阪新歌舞伎座・近松情話」「２０００夢うっふっふっ」「２００１日本歌謡の源流を綴る」のビデオのうち、一番気に入っているのは、「夢うっふっふっ」。オープニングの「北の女房」を歌う貴女が可愛らしく素晴らしい。それに、今よく観ているのは、ＮＨＫの「１９９２年石川さゆりスペシャル・３部作」。あれから、もう１０年も経ってしまっているのですが、あんなすごい番組は、ＮＨＫも二度とやってくれないだろうと思います。あれには、石川さゆりの大部分が詰まっている感じがします。
ではお元気で。
敬具
平成14年8月26日
生きて添えない二人なら、
旅に出ましょ  まぼろしの、
遅すぎた恋だから、
命をかけて覆す、
おわら恋歌  道連れに。
【０１０５】
石川  さゆり  様
拝啓
お元気ですか。９月６日に放送された“二人のビッグショー”大変良かったです。
しかし、「津軽海峡・冬景色」というのは不思議な曲ですね。何度聞いても、新鮮な感じがします。詞が比較的短いにもかかわらず、深い味わいがあるところが優れているのだと思います。ただ、あの“二人のビッグショー”、三木たかしさん、の歌が多すぎ、という感じでした。やはり、歌を歌うのは、歌手にまかせた方がいい。せめて一曲ぐらいにしてほしかった。（すると、二人のビッグショーにならないか？）
９月２６日には、３０周年記念アルバムが発売されると聞いています。２５周年記念アルバムと収録曲が多少異なっているといいのだが。ところで、ＤＶＤは出ないのだろうか。ＤＶＤだと姿と声を同時に鑑賞できるので、すばらしいのだが。
さて、いよいよ、さゆり音楽会も近づいてきた。前の方の列なので、楽しみだ。
ではお元気で。
敬具
平成14年9月12日
【０１０６】
石川さゆり  様
拝啓
お元気ですか。
３０周年記念アルバム「とき」すばらしかったです。何がって？  冊子が。
石川さんは、美しいから冊子が素敵なものになります。
今回のアルバムを買ったのも、冊子に期待していたからです。
期待どおりでした。先生方々の寸評も含めて。
歌自体は、たとえば「津軽海峡・冬景色」について言えば、今回で５曲目の購入になります。私に関して言えば、すでに歌謡曲でほしい歌手の方々のＣＤは、ほとんど買い集めました。あとは、石川さゆりさんが、出されるものを買っていくだけの楽しみとなりました。「津軽海峡・冬景色」の話に戻りますが、私は今から３４年程前の大学一年の時、これがたった一度ですが、津軽海峡を連絡線に乗り、旅行したことがあります。ちょうど、その歳は、さゆりさんが、この歌をヒットさせた歳と同じだと思います。
その後、一応大企業と言われる会社に入り、東京本社勤務が定着し、郊外ですが、茨城県に家も購入し、毎日上野駅を経由して通勤しております。「津軽海峡・冬景色」では、まず最初に「上野発・・」という言葉から始まりますが、私は、毎日、「津軽海峡・冬景色」を聞きながら上野発の列車（夜行ではありませんが）に乗って帰宅しております。この歌は、きっと私が退職してからも、さゆりさんは、第1戦の歌手として活躍されているものと思います。５０周年までは、行くのではないかと思います。ただ、ファンが高齢により、だんだん世の中から消えていき少なくなってと思いますが。
１０月の青山劇場、テレビ番組楽しみにしております。
では、お元気でご活躍下さい。
敬具
平成14年9月26日
【０１０７】
石川  さゆり  様
拝啓
お元気ですか。
さゆり音楽会大変楽しかった。小泉総理の言葉を借りれば“感動した”。
何が、全部・・。私は、阿久悠さんと、吉岡治さんの１０月３日と、二葉百合子さんの１０月６日に観させていただきました。１０月３日は、１週間前にファンクラブに申し込みましたので、中間位置でしたが、阿久悠さん、吉岡治さんが、比較的近い位置に着席しておられましたので、幸運でした。10月６日は、前から４列目の中央付近でしたので、アンコールの場面で最後に、さゆりさんの涙が頬を伝うのも見えるような席でした。今まで、さゆりさんの歌は、“天城越え”が頂点で、これを越える歌はもう出ないであろうと考えておりましたが、今回の音楽会で、“夢の浮橋”が“天城越え”を超えられるかもしれないと思いました。歌のスケールの大きさにおいて、“夢の浮橋”は、“天城越え”に比べ遜色ないものと感じました。ぜひ、紅白歌合戦でトリを採られることを期待しております。
ただ、私が一番好きなのは、“津軽海峡・冬景色”で次は、“北の女房”です。“北の女房”を歌う時のさゆりさんが、たいへん可愛らしい。元気印のチャーミングな女房といった感じだ。そういえば、１０月６日には、“北の女房”がなかったような気がします。ただ、歳をとってきたので私の勘違いかもしれません。
“夢の浮橋”のポンターを入手したかったのですが、オリジナルアルバム等すべて購入していたので、ポスターは、手に入りませんでした。しかしながら、プログラムが大きなポスターになっていたので購入しました。今裏面（ジャケット集）を表にして、私の部屋の壁に貼ってあります。名曲のジャケットは、良くできています。“天城越え”、“風の盆恋歌”この２つは、色っぽい。“津軽海峡・冬景色”は、風情がある。“夢の浮橋”は、美貌で気品がある。やや美しく写りすぎている気がしないでもないが。
“夢の浮橋”は大ヒットになる予感がします。これは、正統派演歌を歌おうとする他の歌手にとっても朗報となると思います。演歌界の正統派演歌の最後の大ヒット曲は、“風の盆恋歌”だというのが、私の持論であるから、ヒット曲になるとすると１４年ぶりとなります。
ところで、７日のグランドキャニオンのトレッキング紀行、楽しく拝見しました。さゆりさんは、ほんとに元気印だなあという感じです。お疲れ様でした。アメリカには、私も１．５年程長期出張で滞在しておりました。さゆりさんが、５０周年リサイタルを行う日まで、この世にいるかどうかわかりませんが、次は、１月２８日の神奈川県民ホールのコンサートを楽しみにがんばりましょう。
敬具
平成14年10月8日
【０１０８】
石川  さゆり  様
拝啓
お元気ですか。
１２月は、ディナーショーの月、この月は我々には意外とつまらない月なのです。
理由は、ディナーショーは１．高すぎる、２高い割には、歌自体の時間が短くつまらない、３．我々の歳になると美味いものはさほど食べたくない、等々です。まあ、ホテルが企画するのでしょうから、我々が口を出す問題ではないのでしょうけれども。
ところで、「二十世紀の名曲たち」には、いろいろと名曲が収録されていますが、第３集のＮｏ．３「カスバの歌」っていうのは、不思議な魅力を持っている曲ですね。
昭和３０年の歌ですから、まだ貴女が生まれる前、私が６歳の時に世に出たようです。子供の頃、聞いただけですから、エト邦枝という歌手がどういう声をして歌っていたかは記憶がありません。
この歌、やけに異国情緒に溢れていますね。
１．
涙じゃないのよ  浮気な雨に
ちょっぴりこの頬  濡らしただけさ
ここは地の果て  アルジェリヤ
どうせカスバの  夜に咲く
酒場の女の  うす情け
２．
唱ってあげましょ  女でよけりゃ    
セイヌのたそがれ  瞼の都      
花はマロニエ  シャンゼリゼ
赤い風車の  踊り子の
今更かえらぬ  身の上を
３．
貴方も女も  買われた命
恋してみたとて  一夜の火花
明日はチュニスか  モロッコか
泣いて手をふる  うしろ影
外人部隊の  白い服
地名がいくつも出てきます、アルジェリア、カスバ、セイヌ、シャンゼリゼ、チュニス、モロッコ。カスバには、実際には酒場はないらしいのだけれど、またアルジェリアが地の果てでもないのだけれど。詞全体に怪しい雰囲気が出ています。３番の「恋してみたとて  一夜の火花」の部分、男性としては、一夜の火花っていうのも魅力的ですね。女性にとっては、愛は継続性がないと、許せないでしょうか。さて、明日は大井町へ行って、３月８日のコンサートの切符をとらなくては。機会があれば、「カスバの女」を歌って下さい。阿久悠先生も、魅力的な歌だと本に書いておられました。
では、お元気で。
敬具
平成14年11月15日
【０１０９】
石川  さゆり  様
拝啓
お元気のことと思いますが、さすがのさゆり様も、ディナーショーの旅疲れが出ているのでしょうか。私は、残念ながらディナーショーに出かける余裕はありませんが、１２月１６日のＢＳ２放送の青山のコンサート、ビデオの予約録画に失敗すると悔いが残ると思い、会社を休んで録画しました。目下、毎晩、そのビデオを楽しんでおります。
１０月３日は、阿久悠さんと吉岡治さんがゲストということで、仕事の都合がつくメドができた１週間前にファンクラブに申し込み、出かけた日です。「北の女房」「津軽海峡・冬景色」、それの間の阿久悠さんのお話、良かった。今までのコンサートでビデオは３本程持っていますが、３０周年リサイタルは、さゆりさんの歌だけで構成されているので、最高です。さゆりさんが、他の歌を歌うのも、たとえば「再会」とか歌ってほしいが、かならずしも自分が好きな歌だけではないので、やはり、さゆりさんの歌だけで構成されているのが最も良いと思います。それに、「北の女房」「津軽海峡・冬景色」と並んだのが良かった。この時の着物もなんとなく色気があって良かった。それに髪、前のほうが少しほつれて数本乱れていたりして、すごくセクシーでした。今までは、２０００年の青山コンサートで最初に歌われる「北の女房」の部分を何回も巻き戻して楽しんでいましたが、このビデオの場合、「津軽海峡・冬景色」がなかなか出てこないのが欠点でした。２００３年は、横浜と大井町のチケットを手にいれましたが、ぜひ「故郷によろしく」を生で聞いてみたいと思います。ＢＳ２の放送は１．５時間にまとめてありましたが、「紫陽花ばなし」などが抜けていたように思われます。２００２年青山３０周年記念リサイタルは、ＤＶＤで発売されるのを期待しております。
ところで、私が２００３年の石川さゆりさんのコンサートを組み立てるとしたら、
スタート・・・・・・「故郷によろしく」・北の女房を最初に持ってくるのはもったいない
・・・・・・・・・・・「長良の曼サ」・・・・この歌なかなかいい
・・・・・・・・・・・この間適当に（波止場しぐれ、能登半島等）
・・・・・・・・・・・「カスバの女」・・・生で聞いてみたい
・・・・・・・・・・・「再会」・・・・・・・生で聞いてみたい
・・・・・・・・・・・この間適当に（酔って候）
・・・・・・・・・・・「紫陽花ばなし」
・・・・・・・・・・・「風の盆恋歌」
・・・・・・・・・・・「夢の浮橋」・・天城越えと入れ替える訳にはいかないであろう
・・・・・・・・・・・「北の女房」・・・津軽海峡・冬景色の前に持ってきたい
・・・・・・・・・・・「津軽海峡・冬景色」・・・ラスト前はこれしかないか
ラスト・・・・・・・・「天城越え」  ・・・やはりラストはこれか
アンコール・・・・・・「大阪の女」とか・・・やってくれればなんだっていい
しかし、歌ってほしい歌は、ほかにもいっぱいありますねえ。森進一の「冬の蛍」も聞きたいなあ。
敬具
平成14年12月19日
【０１１０】
石川  さゆり  様
拝啓
お元気ですか。
紅白歌合戦のトリ、おめでとうございます。もっとも、もしこの手紙が石川さゆり様のお目にとまるとしても、年が明けてからのことと思いますが。
私としては、曲目が「天城越え」に決まった時から、おそらくトリではないかと予想しておりました。というのは、トリでなければ、当然「夢の浮橋」を歌うことになるであろうと考えられたからです。
昭和から平成にかけての、私にとっての、３大女性歌手は、美空ひばりさん、石川さゆりさん、香西かおりさんです。みなさん、名前がひらがなであり、「り」で終わっています。
不思議ですね。美空ひばりさんについては、個人的には、さほど好きではないのですが、世論として、空前絶後の日本一の女性歌手ということになっておりますので、私も認めざるを得ないというか、そんなところです。美空ひばりさんは、声に厚みがありますので、竜哲也の「奥飛騨慕情」とか歌われるとなかなかいい感じです。しかし、「別れの一本杉」とかには、さほど感動しませんでした。なんといっても、春日八郎さんには、かなわないというか、そんなところです。
香西かおりさんは、演歌以外の軽いムード歌謡的なものを歌っても良いのが、すばらしいところだと思います。
さて、石川さゆり様のすばらしさは、歌に情感があるということと、歌の迫力がいまだに発展途上にある点だと思います。阿久悠先生も、「とき」の冊子の中で書かれているように、十代の時に歌われたものよりも、今の方が良いという不思議な力を持っておられるということです。おそらく、  ６０歳まで発展途上で行かれるのではないでしょうか。期待しております。その時、私はもうこの世にはいないかもしれませんが。
では、お元気で。とりあえずは、１２月３１日の紅白、１月２８日の横浜コンサートを楽しみにしております。
敬具
平成14年12月28日
【０１１１】
石川さゆり  様
拝啓
明けましておめでとうございます。
２９日のＮＨＫ思い出の紅白の番組、良かったですね。しっかり、ビデオにとりました。さゆり様の、過去の紅白のシーンが連続して見られるとは思ってもいませんでした。それに、私が、電話リクエストした、初出場の「津軽海峡・冬景色」は、ＦＡＸ．にＮＨＫ側で替えていただいてボードに張られていたのです。この１９７７年は、私の長男が生まれた年という思い出があります。リクエスト投票では「津軽海峡・冬景色」が以外と投票数が少なかったですね。やはり、年の流れでしょうか。
また、３１日の紅白歌合戦、みごとに「天城越え」を歌われました。今までで一番良かったのではないかと思います。そんな意味でも、さゆりさんの歌は、進化しつづけているのだなあと改めて感じます。もみじの着物、少しかわいらしすぎるかと思いましたが、最近のさゆりさんのお顔、数年前よりも、可愛らしくなっているのですね。良く似合いました。そして、赤組の優勝、さゆりさんも、感きわまって泣かれていましたね。これで、たしかトリでは、２勝、２敗、五分の星に戻しましたね。今後の活躍を、期待しております。
さて、１月は横浜のコンサート、今から楽しみにしております。
私的な面では、さゆり様の歌ではないけれど、「誰かに盗られるくらいなら、あなたを殺していいですか」という女性がおり、「命をかけてくつがえす」というようなことにまでは至らないにしても、何らかの決断をしなければならない年になりそうです。さゆり様に、そう言われれば、すぐ決心がつくのですけれど、まあ世の中複雑ですね。
「人生は、歌から歌への旅かもしれない  そして歌は人生の架け橋」といったところでしょうか。
では、お元気でお過ごし下さい。
敬具
平成15年1月4日
【０１１２】
石川  さゆり  様
拝啓
お元気ですか。
１月２８日の神奈川県民ホールのコンサート行って来ました。
お風邪を召していらしたようで、「申し訳ありません」と何度も言っておられましたが、ファンにとっては、あまり気にならないことですよ。元気印のさゆりさんでも、人間だから、風邪引くこともありますよね。
しかし、歌手っていうのは、大変ですね。あらかじめ、スケジュールを組むと、代役が利かないから、無理しても出られる時は、出るしかありませんよね。その点、我々サラリーマンは、気楽（最近は、気楽でもないのですけれど。）に休めます。
コンサートの内容、たしか「津軽海峡・冬景色」から始まったように記憶しております。できれば、後の方にもっていってほしかった。楽しみがすぐ去りますので。それに、「北の女房」が歌われなかったのが残念でした。あと希望ですが、コンサートで「故郷によろしく」を聞きたいです。
当日テイチクの人がいましたので、３０周年リサイタルは、ＤＶＤもぜひ出してほしいと話ました。天道さんとか、ＤＶＤが出ていますが、インターネットで調査しても、さゆりさんのＤＶＤは、発売されていないようです。ＣＤ、ビデオは、たくさん集めましたので、ぜひＤＶＤを出して下さい。
また、テイチクのインターネットの歌手のページデザインがダサイことも申し添えておきました。さゆりさんのホームページは、個人が設営されたものが、豊富に充実しておりますね。  今度は、３月８日の大井町のコンサートを楽しみにしております。
敬具
平成15年2月13日
【０１１３】
石川  さゆり  様
拝啓
お元気ですね。３月８日の大井町のコンサートに行ってきました。
やはり、津軽海峡・冬景色から始まりました。アンコールにも応えてくれて有難うございました。前回は、神奈川県民ホールに行きましたが、あの時は、風邪を引いておられたようですが、今回は体調もばっちりだったと思います。会場で、ＣＤとか売っていましたが、新たに買うものはなにもないなあと思って、眺めておりましたところ、９３年の青山劇場“夢をみましょう”が置いてありましたので、買って、さっそく観てみました。
感じましたことは、９３年よりも、今の石川さゆりさんの方が素敵だということです。
１．今のほうが、歌が上手いようである（特に、歌の力において。阿久悠先生と同感。）
２．今のほうがお顔がふっくらして可愛い（３０台より４０台のほうが可愛いという女性は少ないのではないだろうか。）
３．今のほうが、少し太って女性として魅力的である（これは、私の個人的な感覚か？）
４．今のほうが、歌の間のトークが慣れてきて自然な感じである
したがって、９３年の石川さゆりさんよりも、今の方がすばらしいことを確認させていただいた次第であります。ひょっとしたら、４０周年のほうが、もっと歌が上手く、可愛くなっているかもしれない。これは、不思議なことだ。きっと、貴女の音楽（歌）に対する情熱がそうさせているのであろうと推察するのであるが、ひょっとしたら、素敵な男性がいらっしゃるのかもしれない。まあ、これは、プライベートなことなので詮索は致しません。９３年のビデオの中にファンの掛け声が入っているのだが、聞いているとファンは昔のままのようである。ファンは進歩してないなあ。ではお元気で。
敬具
平成15年3月10日
上野発の夜行列車降りたときから  青森駅は雪の中
北へ帰る人の群れは誰も無口で
海鳴りだけを聞いている
私も一人連絡船に乗り
凍えそうな鴎みつめ泣いていました
あぁ津軽海峡  冬景色
ごらんあれが竜飛岬北のはずれと見知らぬ人が指をさす
息で曇る窓のガラス拭いてみたけど
遙かにかすみ見えるだけ
さよならあなた
私は帰ります
風の音が胸を揺する泣けとばかりに
あぁ津軽海峡  冬景色
【０１１４】
石川  さゆり  様
拝啓
お元気ですか。久しぶりに、昨年１２月２９日にＢＳで放送された紅白歌合戦の特集番組のビデオを観てみました。昭和５２年の「津軽海峡・冬景色」から始まって、平成１３年の「涙つづり」まで、一気に見せてくれるお宝映像です。前にも同様のことを書きましたが、石川さゆりさんは、だんだん美しく、歌が上手くなっているのだなあと思いました。勿論、昭和５２年の紅白初出場では、初々しく綺麗ですが、まだ歌に力がないというか、そんな感じです。ところで、いつから急にお美しくなったのでしょうか。平成７年の「北の女房」あるいは平成１０年の「風の盆恋歌」あたりからかと思います。お嬢様も、ある程度成長して精神的な落ち着きが出てきたからでしょうか。
さて、ニュースで３億２０００万円の支払命令の判決が出たとか、心労は多いでしょうが、さゆりさんの場合、歌手生活はまだまだこれから先がありますし、充分返済可能であるようにも見受けられます。今まで通りの笑顔で、ステージに立たれ、我々を楽しませて下さることを期待しております。
敬具
平成15年4月10日
【０１１５】
石川  さゆり  様
拝啓
お元気ですか。２０日（日曜）夜、１０チャンネル（テレビ朝日）を見ておりましたら、さゆり様の１９７７年「津軽海峡・冬景色」のシーンが出てきました。可愛らしいさゆりさん、歌は、声が今よりも、か細く、鼻にかかった感じです。私自身が、歳をとった（５３歳です）為か、今の方が魅力的ですね。今の方が、ふっくらして美しい。声も迫力がある。（これ、前にもファンレターで書きましたが。）
さて、新マキシシングル「陽だまりの詩」さっそく、２２日（一日前に店に納入されますから）に購入して聞いてみました。感想は、第一印象としては、「花の寺」のほうが感ずるものがあるといったところです。イントロからして、情緒がある感じです。
それに、写真のお顔も美しいですね。美貌のさゆりさん！！ただ、何と言っても素敵なのは、「夢の浮橋」のシングルの写真、女優さん以上です。マウスパッドも購入し、大切に保管してあります。一方、首をかしげるのが、２００３年アルバムの写真、岩下志麻さんのようで怖い（極妻を思い出してしまいます）。まあ、いろいろと表情豊かであるのがあるのが、さゆりさんの真骨頂でしょうか。
ではお元気で。
敬具
平成15年4月23日
【０１１６】
石川  さゆり  様
拝啓
お元気ですか。２５日の「今夜は見せまっせ」、楽しく見せていただきました。一番印象的だったところは、お母さんの手紙。いいお母さんですね。貴女もまだ若いから、お母さんも元気でいらしゃることと思います。
貴女との共通点は、私は貴女より歳は９つ上だし、ほとんどないのですが。津軽海峡・冬景色がヒットした１９７７年に長男が、生まれました。それに、次女が８２年１月１８日生まれで、佐保里様とは、２歳違いでやや近いことです。次女は、保育園の先生をやっております。
そんなこともあり、一番好きな曲は、「津軽海峡・冬景色」です。この曲程、現役で長く歌われている曲はないのではないでしょうか。ただ、カラオケでは歌いません。みんなに知れ渡った歌をうまく歌うことは、けっこう難しいのです。その点、「能登半島」「漁火挽歌」あたりは、歌う人が少ないので、歌いやすい。「天城越え」は、下手な「天城越え」程聞くに堪えないものはないので、遠慮して、歌いません。
さて、次の楽しみは、６月１３日の厚生年金会館の夜の部、仕事が入ったら、休暇をとるしかないなあ。「北の女房」が聞けることを楽しみにしております。
では、お元気で。
敬具
平成15年4月28日
【０１１７】
石川  さゆり  様
拝啓
お元気ですか。私がファンクラブを宛てに、貴女へ手紙を書き出したのは、ファイルを眺めていましたら、平成１１年１０月８日が最初でしたから、すでに３年半になります。毎月１通づつとしても、５０通近くファンレターを送付させていただいたことになると思います。昨年から、会員になり、会報を送付して頂くようになってから、すでに３回、会報に載せて頂きました。
私が入社したのは、１９７２年ですから、さゆりさんは、翌年デビューされたことになります。しかしながら、石川さゆりという歌手を知りましたのは、多数の人がそうであるように、１９７７年の「津軽海峡・冬景色」からだと思います。
１９７７年の頃は、単にいい歌手だなあと思っていましたが、その後仕事に追われ、紅白歌合戦で貴女を見るぐらいでした。最初のコンサートは、１９９３年頃、川崎市民会館に行った記憶があります。たしか、前から２列目の中央付近の席でした。最後に「天城越え」を歌っていただいて、その時、バックで赤い布がゆれていたのを覚えています。その後、再び、さゆり様のことも、頭の隅に行ってしまっていましたが、近所の書店で、２５周年記念大全集を購入してから、メラメラと石川さゆり様の歌が好きになり、その後、出されるＣＤはほとんど購入しました。また、コンサートにも、東京付近のものには、土日のものは、ほとんど行くようになりました。
この前も書きましたが、石川さゆりさんは、これからまだまだ我々を楽しませてくれる歌手だなあとつくづく感じております。歌、話、女性としての魅力のすべてにおいて、発展途上にあると感じています。さて、新曲、「陽だまりの詩」と「花の寺」ですが、両方共いい感じです。どちらかと言えば、「花の寺」の方がインパクトがあるのではないかと思います。また、３０周年記念「さゆり」の中の「故郷によろしく」も好きです。
今年は、青山コンサートがないと聞いておりますが、９月、１０月に東京付近でコンサートが開かれることを期待しております。では、お元気で。                    
敬具
平成15年5月9日
【０１１８】
石川  さゆり  様
拝啓
お元気ですか。３０周年記念リサイタルビデオが到着し、さっそく見てみました。予想通りＢＳで放送された映像が使われておりました。まあ、何と言ってもＮＨＫのスタッフが撮った映像に勝るものはないからだと思います。ただ、ＢＳ放送の日、わざわざ休暇を取って、観て、ビデオを採った記憶があり、別の角度からの姿を見られることも期待しておりましたので、少し残念でもありました。まあ、ゲストコーナが全部入っている点に価値があるのでしょう。できれば、音楽会で歌われた歌が全曲収録されたＤＶＤ２枚組？で１．５万円程度のものを期待していたのですが。
さても残念なのは、青山音楽会がなくなってしまったこと。今年は、大阪新歌舞伎座へ持ってかれてしまいました。いまだに、９月、１０月の東京でのコンサートスケジュールが入ってきませんね。期待しております。
私の生活における石川さゆりさんの占める比率は、極めて高く、ＮＨＫのニュース、興味あるドキュメンター、石川さゆりさんが出場する歌番組を見る以外は、ほとんど石川さゆりさんのビデオ、ＣＤを見聞きする時間にあてております。そんな訳ですから、ぜひＤＶＤ全集が発売されるのを期待しております。では、お元気で。
敬具
平成15年5月29日
【０１１９】
石川  さゆり  様
拝啓
お元気ですか。先日は、サイン入り色紙を送付していただき、誠に有難うございました。
６月１３日は、どうやら仕事が夜入ってくる情報をつかみ、さっと早めに午後半休届けを出して、東京厚生年金会館に出かける手はずを整えました。やっと今年は、３回目のコンサートですので、仕事は後でパソコン通信で処理するとして、まず早めに会社から抜け出しておく用意をしました。
“陽だまりの詩”は、「・・おんなじくの字で  眠りましょ」という部分が、特に印象的ですね。・・・お互い前を向き合っていると、かなりわずらわしいので、くの字で並ぶ程度が丁度良いところですね。
しかし、しつこいようですが、ＤＶＤが出ないかなあと思います。さゆりさんの歌は、映像と伴に、鑑賞するのが、ベストです。ＤＶＤプレヤーも用意しましたし、あとは、ソフトが発売されるのを待つだけ。過去の青山劇場のコンサートを再編集して、豪華ＤＶＤ大全集を、予約制で販売してはいかがでしょうか。期待しております。では、お元気で。
敬具
平成15年6月3日
【０１２０】
石川さゆり  様
拝啓
お元気ですか。最近、ずっと、はまっているのが、「北の女房」です。
３０周年記念ビデオをほとんど毎日見ております。
「・・・熱いからだで  抱いてやる  ヤンレーヤンレー  ヨイトヨイトマカショ  北の女房はヨー  あんたの港」  「北の女房はヨー  あんたの港」  の部分を４回聞きますと、さゆりさんが一瞬、自分の女房になってしまったような気分になります。願望的錯覚に陥ります。
３０周年記念リサイタルの時は、着物の色も艶っぽく、ヘアースタイルにも色気があるのですね。たしか、２００１年のコンサートは、「北の女房」から始まるものが、多かったような記憶があります。この「北の女房」を歌っている時のさゆりさん、ほんとうに素敵です。６月１３日のコンサート、今から楽しみです。
ではお元気で。
敬具
平成15年6月6日
【０１２１】
石川  さゆり  様
拝啓
お元気ですか。６月７日のＢＳ日本歌、さゆりさん、素晴らしかったですね。歌の迫力、演技の上手さにおいて、さすが他の歌手を圧倒しておりました。
あの番組の収録の時は、体調も良かったのでしょう。お顔もふっくらして、いい感じでした。私の好きな「北の女房」も歌っていただいたし、「転がる石」もなかなか良い歌であるとあらためて思いました。そして最後は、新曲「陽だまりの詩」、これも良かったです。
さゆり様も、いよいよ日本の女性の歌謡歌手の目標とされる人になってきましたね。
あと、２０年は、大丈夫でしょう。問題は、私がそこまで生きているかどうかです。
生きているかぎり、声援を送ります。
では、お元気で。                                                          敬具
平成15年6月10日
【０１２２】
石川  さゆり  様
拝啓
お元気ですか。６月１３日の東京厚生年金会館のコンサートに行ってきました。
今回のさゆり様のコンサート、気迫と迫力があり素晴らしかったです。
昨年の青山劇場の３０周年記念コンサートよりも素晴らしかった気がします。
特に、「無法松の一生」「飢餓海峡」。「飢餓海峡」では思わず涙が出てきました。
さゆり様のコンサートは、やはり「津軽海峡・冬景色」「天城越え」と終わるのが、しまりますね。私の好きな「北の女房」も歌ってくれて有難うございました。
それに、最近のさゆりさんは、歌の振りも、型が決まってきて、歌とともに、振りも芸術の境地に入ってきたと思います。
７月１３日の狛江のコンサートで今年を終了するのは、残念なので、
大阪新歌舞伎座のチケットも、ファン倶楽部に申し込みました。
１１月は、二人で大阪へさゆりさんのコンサートを聞きに旅行をするのを楽しみにしています。では、お元気で。                                                     
敬具
平成15年6月16日
【０１２３】
石川  さゆり  様
拝啓
お元気ですか。２４日の歌謡コンサート、ドレス姿素敵でしたね。
最初、あれ、さゆりさんは、どこにいるのかと思ってテレビを見ていましたら、黒いドレス姿。腕が見えてセクシーでした。もう少し、アップで見たかった。そして、“愛燦燦”を歌う時は、黄色いドレス。ヘアースタイルもいつもと違って、よりいっそう若々しく美しく見えました。２０代後半から、３０代前半に。
もちろん、歌も、さゆりさん独自の雰囲気で歌っておられて、最高でしたが、あれだけ美しいと、歌なんてどうだっていいという感じです。まるで、女優が歌をうたっている感じでしたね。藤純子さんなんか、歌はへたくそなのに、昔、映画主題歌を歌っていましたが、美しい藤さんが歌っていると、歌の上手い、へたなんかどうでもよいと思ったものでした。そんな、別格な美しさを感じる昨夜の石川さゆりさんでした。
７月３日は、休暇を採って、八王子市民会館に行くことにしました。３列目中央付近？の席が採れたのです。おそらく、７月３日は、着物姿でしょうが、今から楽しみにしております。では、お元気で。                                                    敬具
平成１５年６月２５日
【０１２４】
石川  さゆり  様
拝啓
お元気ですか。６月２９日の「あなたが選ぶ時代の歌」、さゆり様が歌われたのは、「天城越え」「風の盆恋歌」「ジェラシー」の３曲でしたが、かなり気合が入っていましたね。楽しませていただきました。たしか、ジェラシーは、「二十世紀の名曲たち」にも入っていたのではないかと思います。
巨匠、吉岡治先生も若いころは、先輩達の壁が厚くて大変だったのだなあと思いました。吉岡先生、今では、女心を表現する石川さゆりさんの専属になってしまったような感じがします。また、最近は、阿久悠先生は、船村徹先生と一緒に仕事をされているようですが、石川さゆりさんが、船村先生の曲にめぐり合える機会が来るといいですね。
さて、７月３日は、八王子市民会館（休暇を採って行きます。）、週末は、バンクーバーと多忙ですね。のど自慢大会は、テレビで観させていただく予定です。
それでは、お元気で。                                                        敬具
平成15年7月1日
【０１２５】
石川  さゆり  様
拝啓
お元気ですか。７月３日は、休暇を取って、八王子のコンサートに行ってきました。
３列２４番という、中央付近のすばらしい席でしたので、石川さゆり様の歌、姿を堪能できました。前の方の列にもかかわらず、時々双眼鏡などを使ったりしましたが。
歌の構成は、東京厚生年金会館の時と同じであったと思います。
同じ曲を何度も聞くところに、良さがまたあるのだと思います。
「ホテル港や」「北の女房」「紫陽花話し」「飢餓海峡」「津軽海峡・冬景色」等々、何度聞いてもいいですね。特に朗読付きの「飢餓海峡」はすばらしかった。
でも、「故郷によろしく」を生きている間に生でき聞きたいなあと思っております。
ぜひ、「故郷によろしく」をお忘れなく。
コンサートに行く途中、東京駅で「讃岐うどん」を見つけましたので、おいしそうだったので、買って行きました。
さゆり様のお口に入ったでしょうか、それとも、ミージック演奏メンバーの手に渡ったのでしょうか。まあ、私としては、どちらでもいいのですが。
１３日の狛江のコンサートでは、横浜生麦の地酒「生麦」でも、持っていこうかなと思っております。
ではお元気で。                                                            敬具
平成15年7月4日
【０１２６】
石川  さゆり  様
拝啓
お元気ですか。バンクーバーは素晴らしかったでしょうネ。
ＮＨＫのど自慢大会、普段は、最近は、パフォーマンスばかりの人が多いのて見なくなりましたが、７月６日は、しっかり見ました。朝顔の着物姿、きれいでした。
細川たかしさんが、後で歌うのか、石川さゆりさんが後で歌うのか興味がありましたが、まあ、男性を立てておくということで、予想通り、細川さんが後でした。歌手の格から言えば、石川さゆりさんが、後でしょうが、それはそれ、細川さんの後では、石川さゆりさんのかわいらしさがなくなりますものね。（美空ひばりさんだったら、貫禄で、後にならざるを得ないでしょう。）
「天城越え」を歌った、アメリカのシアトルのリンダさん、歌はさほど上手くなかったとは思いましたが、迫力は凄かったですね。日本人と外国人のテニスの試合のようで、パワーで押し切るというか、あの迫力には、さすがの石川さゆりさんもついていけない。人種の違いでしょう。しかしながら、日本の言葉の持つ意味を良く理解されていたのには、驚きでした。
「津軽海峡・冬景色」のバイオリン、素敵でしたね。石川さゆりさんの、バイオリンでの「津軽海峡・冬景色」が聞きたくなりました。
さて、石川さゆりさんへの声援、コンサート会場で聞きなれた、“さゆり”という掛け声が、さかんに出ていました。ファンクラブの相当数が、バンクーバーまで行かれたのでしょう。私は、仕事がたてこんでおり、ＮＨＫのど自慢大会を見てから、会社へ出て仕事を処理しましたが。
さて、もうすぐ、１３日の狛江のコンサート、３日に八王子に行ったばかりなのに、今から楽しみにしております。
では、お元気で。
敬具
平成15年7月9日
【０１２７】
石川  さゆり  様
拝啓
お元気ですか。今日は、さゆりグッズについての要望です。ぜひ、ネクタイとかネクタイピンとかを作って下さい。さゆりさんの、金太郎さんのイラストが入っているものとかを。さゆりグッズには、男性が普段身につけられるものが少ないように思います。
さゆりさんのファンの中には、そろそろ定年退職という男性も多いと思います。
できるだけ早く、このようなグッズを出していただき、さゆりネクタイを付けて出勤したいと考えております。
では、お元気で。
敬具
平成15年7月10日
【０１２８】
石川  さゆり  様
拝啓
お元気ですね。７月１３日の狛江のコンサート、楽しませていただきました。
なにがって、狛江の近くにさゆりさんがお住まいになっていることを知ったこと。（広尾とか、そのあたりかと想像しておりました。東京のど真中っていうのは、高級すぎて、かえって住みにくいですよね。）
ホームグラウンドでの出演ということで、たいへんリラックスされていたように感じました。歌のほうも、そんなこともあって、軽いノリでしたね。お母さんも、観にこられていたということですし。
地酒「生麦」は、誰の手に渡ったのか、それはどうでもいいのですが、「なまむぎなまごめなまたまご」と言っていただき有難うございました。生麦も、下町で住みよい町です。ビール工場もありますし、機会があれば、ご案内します（マスコミにバレないように）。工場内にパブブルワリー、レストランもあり、楽しいところです。私は、この横浜工場に２度、勤務しました。
握手もしていただいて、今までも、握手は何度かしていただいているはずなのですが、実感として感じとったのは、今回が始めてでした。やっと、プレゼントタイムに行く時の心の余裕が出て来たようです。９歳も歳下の方なのに。
さて、次はと情報を見ますと、１０月１７日（金）の所沢、この日に仕事が入るかどうか確かめて、仕事を明けられるようでしたら、ベルワールドに問い合わせます。これが、ダメなら、１１月の大阪になるか。いずれにせよ、しばらく、さゆりさんの顔をじかに見られないようです。
狛江市民ホールで、スカイホールでの平成16年２月２１日（土）のコンサートの案内のチラシが置いてありました。もう、平成１６年の案内かと思うと、さゆりさんのコンサートに行きながら、あっという間に歳をとっていく感じです。しかし、土曜日のコンサートは、ありがたいなあ。仕事の都合を考えなくても、予約できます。
では、お元気で。
敬具
平成15年7月14日
【０１２９】
石川  さゆり  様
拝啓
お元気ですか。さて、昨日、ファンレターを出したばかり。昨日の夕方、会社帰りに買った夕刊（東京新聞）に、「演歌はなぜ衰えないのか」という記事を見つけました。これを執筆した梅原猛先生は、同封しました情報に記載されておりますように、立派な経歴の哲学者です。哲学者が演歌を論ずるとは、格調が高いですね。この記事の中で、夜霧、汽笛、悲しい酒、津軽海峡冬景色、が紹介されています。夜霧は、石原裕次郎の「夜霧よ今夜も有難う」（あるいは、赤木圭一郎の「霧笛が俺を呼んでいる」）。汽笛は、春日八郎の「赤いランプの終列車」を思い浮かべます。悲しい酒、津軽海峡冬景色は、特に言うまでもないでしょう。私は、この中でも、「赤いランプの終列車」「津軽海峡・冬景色」が好きです。春日八郎さんは、男性歌手としては、一番ではないでしょうか。さゆりさんが、「二十世紀の名曲たち」に収めておられる「別れの一本杉」も最高でしょう。石原裕次郎さん、赤木圭一郎さんは、厳密には歌手とは、言えないかもしれませんが、持っている雰囲気には、他を寄せ付けないものがありました。さて、この中で、石川さゆりさん以外の人は、もうこの世にはいないのですね。さゆりさんには、まだ２０年ぐらい歌えるパワーがあるように思えます。そんな意味でも、女性演歌歌手の最高者として、益々の活躍を期待します。
ところで、この記事が、演歌と仏教の無常感とを結びつけている点、言われてみれば、なるほどと言った感じですが、さすが、哲学者、凡人が表現できないところを述べるところが、非凡なところなのでしょう。
話は変わりますが、私が好きな石川さゆりさんの髪型について。阿久悠さんの「時代を超えた歌たちよ」の再会パート一で、登場された、髪型。さゆり３０周年の青山コンサートの「北の女房」を歌われた時の髪型。すなわち、あまり、こんもりしていなくて、髪が少ない量でデザインされているものが、好きです。特に、さゆり３０周年の青山コンサートの「北の女房」を歌われた時の髪型はいいなあ。セクシーで。では、お元気で。
敬具
平成15年7月15日
【０１３０】
石川  さゆり  様
拝啓
お元気ですか。夏休みをいかがお過ごしでしょうか。
７月１３日の狛江のコンサート以来、石川さゆりさんの姿を見ておりません。
なんとなく、寂しい。７月６日のバンクーバーでのＮＨＫのど自慢以来、テレビでも見ていないし。
さて、８月１５日は、終戦記念日。８月６日広島原爆投下、８日ソ連参戦、９日長崎原爆投下の後、１５日に終戦の日を向かえることができたのは、東宝映画「日本の一番長い日」によれば、ひとえに、昭和天皇の統轄力と、天皇の意向に沿って、すみやかに終戦に向けて対応した当時の内閣の有能さと勤勉さにあったようです。特に当時の阿南陸軍大臣は、本土決戦を意図する陸軍幹部の反対を寄せ付けず、天皇の意向に沿って忠実に任務を遂行され、任務終了後、自害されたようです。
私は、昭和２４年の生まれですから、幼少の頃、生活した地に米軍が駐留していたこともあり、多少戦後の雰囲気を感じながら育ちました。
昭和３３年生まれのさゆり様は、もう高度成長期に入りつつあった、生き生きした日本が幼少の頃の思い出として残っているものと推察いたします。（それとも熊本には、まだ戦後の雰囲気が残っていたのでしょうか。）
ともあれ、「天城越え」「飢餓海峡」「夢の浮橋」のような色っぽい歌を、自由に聞ける今の日本国の平和に感謝したいと思います。では、お元気で。                      敬具
平成15年8月15日
八月十四日の特別御前会議で、天皇は終戦を決意され、ここに正式にポツダム宣言受諾が決ったのであった。この間、終戦反対派の陸軍青年将校はクーデター計画を練っていたが、阿南陸相は御聖断が下った上は、それに従うべきであると悟した。一方、終戦処理のために十四日午後一時、閣議が開かれ、陸下の終戦詔書を宮内省で録音し八月十五日正午、全国にラジオ放送することが決った。午後十一時五十分、天皇陛下の録音は宮内省二階の御政務室で行われた。同じ頃、クーデター計画を押し進めている畑中少佐は近衛師団長森中将を説得していた。一方厚木三○二航空隊の司令小薗海軍大佐は徹底抗戦を部下に命令し、また東京警備軍横浜警備隊長佐々木大尉も一個大隊を動かして首相や重臣を襲って降伏を阻止しようと計画していた。降伏に反対するグループは、バラバラに動いていた。そんな騒ぎの中で八月十五日午前零時、房総沖の敵機動部隊に攻撃を加えた中野少将は、少しも終戦を知らなかった。その頃、畑中少佐は蹶起に反対した森師団長を射殺、玉音放送を中止すべく、その録音盤を奪おうと捜査を開始し、宮城の占領と東京放送の占拠を企てたのである。しかし東部軍司令官田中大将は、このクーデターの鎮圧にあたり、畑中の意図を挫いたのであった。玉音放送の録音盤は徳川侍従の手によって皇后官事務官の軽金庫に納められていた。午前四時半、佐々木大尉の率いる一隊は首相官邸、平沼枢密院議長邸を襲って放火し、五時半には阿南陸相が遺書を残して壮烈な自刃を遂げるなど、終戦を迎えた日本は、歴史の転換に伴う数々の出来事の渦中にあったのである。そして、日本の敗戦を告げる玉音放送の予告が電波に乗ったのは、八月十五日午前七時二十一分のことであった。
【０１３１】
石川  さゆり  様
拝啓
お元気ですか。私設ホームページを見ておりましたら、すでに、なつかしさを感じる写真が出ておりました。実は、始めてファンクラブのパーティに参加したのです。また、６月９日は、私の誕生日、あの時は、５３歳になった日です。
さゆりさんは元気なのがいいなあ。歳をとってくると元気かどうかが勝負ですね。
元気でないと、声の伸びも悪くなるでしょうし。さてさて、さゆりさんのコンサートはまだまだ先。御園座へ行ったファンも多いようですが、仕事もありましたし。
当面は、９月２日の歌謡コンサートに期待。
目下、３０周年のビデオを見ております。販売されたのと、ＢＳを録画したのを両方持っていますが、もっぱらＢＳ録画を見ています。それに、最初の「かくれんぼ」から「津軽海峡・冬景色」までを専ら、幾度となく見るのが好きなんです。１．「津軽海峡・冬景色」  ２．「北の女房」。あの時の着物とヘアースタイル最高に魅力的ですね。なんと言うか、艶っぽい感じで。
ではお元気で。
敬具
平成15年8月28日
【０１３２】
石川  さゆり  様
拝啓
お元気ですか。婦人公論の７日号、読ませていただきました。
写真、素敵でした。この間の歌謡コンサートで、黒いドレスを着てオープニングに登場した時のような雰囲気でした。仕事と子育て、大変でしたね。娘さんが二十歳、今が一番いい時かも。いつか、娘さんも独立していくでしょう。美しい人で、素敵な男性が現れるでしょうから。その時、さゆりさんは、一人に近い状態になってしまう。その時も、歌い続けてくれるであろうか。それが気がかりです。できれば、さゆりさんの支えになりたいが。しかし、私は、「天城越え」「飢餓海峡」の世界にはまってしまっている。原因は自分にあるのだから、現実的に解決するしかありません。
記事の中で、お嬢さんが幼少の頃、さゆりさんの声援や拍手を聞いて、心が痛んだという部分は、自分も罪なことをしたのかと心が痛みました。石川絹代は、お嬢さんのものなのに、石川さゆりになると、ファンのものになってしまう刹那さを感じたのでしょう。（私は、大声は出しませんが、拍手やプレゼントタイムには参加します。）３０周年リサイタルの最終日には、お嬢さんが来られていたと聞きましたから、大きくなってからは、ファンの行動を許せるようになったのでしょうか。
歌手の日常は、多少自由な時間があるにせよ、半年以上先まで、スケジュールを入れる必要があるようです。（狛江に７月１３日に行った時、すでに来年の２月２１日のスカイホールのチラシが置かれていました。）相当先までのスケジュールを確定しなければならないのは、精神的にもかなりの負担でしょう。歌手は元気でないと務まらないですね。元体操部がものをいうのでしょうか。
石川さゆりさんが、長く元気に歌われることを期待しつつ。
でも、伍代夏子さんのように、素敵な人と結婚されてから、歌を続けられるのも、それはそれで、ファンとしては歓迎しますよ。
ではお元気で。
敬具
平成15年9月9日
【０１３３】
石川さゆり  様
拝啓
お元気ですか。１０月１７日は残念ながら仕事が入り、所沢のコンサートは断念。
１０月１日の会報には、また私のファンレターを載せて頂きました。また、私なりに、傑作を書きたいと思っております。
ところで、今度の新曲「人間模様」、イメージチェンジされたような感じです。
曲はかなり難易度が高く、すぐには覚えられません。
どうも自分自身が古くなってしまったのか、「旅情演歌」至上主義になってしまったようです。
１．「津軽海峡・冬景色」  ２．「能登半島」  ３．「漁火挽歌」  ４．「北の女房」  
５．「故郷によろしく」  が私のベスト５です。
しかし、洋服姿のさゆりさん、素敵ですね。
ではお元気で。
敬具
平成15年10月3日
【０１３４】
石川  さゆり  様
拝啓
お元気ですか。久しぶりのテレビ出演であったような気がします。ビデオを撮り、「胸の振り子？」と「人間模様」、昨夜は何度も見ました。いつも、「さゆり・・・」という大声が聞こえますが、あの方の熱意には負けます。きっと、バンクーバーにも、行かれた方でしょう。体格のいい人だったと記憶しています。
「胸の振り子」では可愛い着物、途中で緑っぽい洋服、「人間模様」では茶のシンプルな洋服と、素敵な衣装替えでした。「人間模様」の作詞は阿久悠先生ということで、なるほどと感じましたが、さゆり様は、やはり日本の景色の中に存在させるのが最高ですね。
いつか、「津軽海峡・冬景色」のドラマチックなイントロとエンディングのダイナミズムを超える歌が聞きたいでいすね。（「故郷によろしく」いい線行っていると思いますが、まだステージ、テレビでは歌われていないと思います。）
大阪新歌舞伎座でも「故郷によろしく」は、歌われないでしょう。
１１月、１２月とハードなスケジュールですが、元気で乗り切って下さい。
敬具
平成15年10月8日
【０１３５】
石川  さゆり  様
拝啓
お元気ですね。出張が取り止めになり、急遽、チケットを予約し、１７日の所沢コンサートに行って来ました。やや端でしたが、４列目の席がとれ、さゆり様のお顔を良く拝見できました。食欲の秋のせいか、お顔の頬が少し丸くなられた感じがしました。
元気なお姿を拝見し、嬉しく思いました。幕のないコンサート会場というのは、始めての経験でしたが、それなりにいいものでした。
今年は、「ホテル港や」に始まり、・・・・・「北の女房」・・「酔って候」・・・「新曲」・・「転がる石」・・「飢餓海峡」「津軽海峡・冬景色」「天城越え」というスタイルだったと思いますが、「津軽海峡・冬景色」は、益々良くなりますね。思わず、私も、「さゆり・・」と声を出してしまいました。
ところで、キープ（株）から、「湯の花ＫＯＵＴＡ」に始まって、「夏の夜の夢」で終わる、ＤＶＤカラオケが発売されましたので、早速購入しました。まだ、１卷しか製作されてないようです。最近は、これに、はまってます。
さて、次は、大阪行き。今から楽しみです。
では、お元気で。
敬具
平成15年10月20日
【０１３６】
石川  さゆり  様
拝啓
お元気ですね。
大阪新歌舞伎座講演を１、２日と観に行ってきました。
「ホテル港や」から始まったのは、今年のコンサートの定番でしたが、
１．途中白い着物に早代わりされてから、私の好きな「漁火挽歌」を聞けたのは良かった。
白い着物が大変、良く似合っていました。
２．第一部の終りの「北の女房」も私の好きな歌であり、良かった。
３．第二部の赤い着物で、「大阪の女」で、花道から登場された時は、髪型が可愛く乙女のように美しかった。
４．最後から２番目の「津軽海峡・冬景色」は聞くたびに良くなります。
さゆりさんのコンサートは、私は、「津軽海峡・冬景色」に一番しびれます。
ただ、残念だったこと、いつもの着物のおば様がおられなく、酒・紫陽花ばなしの間に、「さゆりちゃん日本一」の美声が聞けなかったこと。
家に戻りましたら、来年のスゲジュールの２〜３月の予定表がファンクラブから届いていました。ほとんど、行けそうです。
１１、１２月のスケジュール、過密ですが、がんばって下さい。
当面は、府中のコンサートを楽しみにしております。
ではお元気で。
敬具
平成15年11月4日
【０１３７】
石川  さゆり  様
拝啓
お元気ですか。いよいよ、さゆりさんが超多忙な１２月も近づいてまいりました。
さて、私は、１１月２２日は、来年の２月２１日に瑞穂町スカイホールの公演チケットを入手する為に瑞穂町まで、朝５時５０分の電車に乗って行ってきました。８時１５分頃にスカイホールに到着した時には、すでにかなりの人が並んでいましたが、１枚購入するだけでしたので、１列２８番の席を運良く入手することができました。
他のチケットは、ファンクラブとか、チケット販売会社から簡単に入手できますが、このチケットだけは、現地へ行かないといい席はとれないのです。
さてさて当面は、１２月５日に府中でのコンサート、これも２列目のチケットを入手しており今から、楽しみにしております。
なんといっても、“津軽海峡・冬景色”がますますいいですね。
さゆり様が１９歳の時にヒットさせた曲なのに普遍的な魅力のある曲です。
イントロもダイナミックですし。
ではお元気で。                                                              敬具
平成15年11月25日
【０１３８】
石川さゆり  様
拝啓
１２月５日は、府中のコンサートに行ってきました。
今年最後のコンサートということでしたが、私も、今年もあっという間に１２月に入ってしまったかという感がします。来年の３月頃までのチケットも既に手配を完了しました。来年は、ぜひ“故郷によろしく”をコンサートプログラムに入れてほしいですネ。会場で、    失礼かと思いましたが、私事（長男の司法試験合格）の件を話させて戴きました。
貴女も、婦人公論で佐保里様の進学の問題とかに触れられていましたが、正直言いまして、長男がＪＡ全農に勤務した２年目に、「今の仕事では自分を生かしきれない」ので、司法試験を受けると言い出した時は、やや困惑しました。それは、合格率が余りにも低いので、挫折感を残したまま人生を引きずるのを親心として恐れたのであります。職場を辞めて、受験体制に入るのかと問いましたら、本人は、仕事を続けながら勉強するというので、それは大変だと思う反面、最終的に合格できなくても、フリーターにならずに済むという安心感はありました。一方、親馬鹿かと思いますが、全日本高校ラグビーの選手メンバーに入りながらも、高校時代、成績はほとんど一番でしたし、帰国子女よりも英語の成績が良いという実績を持ち、高校ラグビー全国大会（花園）に出場したあと、２ヶ月程度の集中的受験勉強で一橋の法学部に合格しておりましたので、２回目ぐらいで合格するのではないかとも考えておりました。予想通り、２回目で合格したしだいです。予想の根拠は、私なりに、試験問題を眺めて、この種の問題は、勉強する期間よりも、記憶力と論理構築能力が潜在的に在るかどうかを評価される試験だと知ったからです。歌手になる程の稀有な才能は必要ないのですが、普通の人は、いくら努力しても無理なレベルではあるようです。まあ、私には、彼は頭脳の面では、理解できないレベルの能力を持っているようです。
今年は、４５０００人が受験し、１１００人が合格したのですが、残りの４４０００人の中には、この試験の為に人生設計が狂う人も多いのではないかと思います。したがって、私は、この試験に挑戦することを基本的には推奨しません。
２００４年４月からは、法科大学院が開設され、法科大学院を経て司法試験に挑戦する人が主流になってくるわけですが、法科大学院に入学すること自体難関であることと、法科大学院の授業料が私立では、年間２００万円程度と高いこと、法科大学院を出ても司法試験に合格する補償はないことを考えると、受験生にとっても、親にとっても益々大変なことと予想されます。つまり、司法試験に合格するには親がお金持ちである必要も出てきたのです。お金持ちの親にとっては、ライバルが自然に減っていいかもしれませんが、大儀のもと、法務省と大学の先生方が都合の良い制度を作りあげた感もあります。
佐保里様のことは、詳しくは存知上げませんが、英語が上達されていることをお聞きしております。弁護士は転勤もなく、女性も活躍できますので、資質があると本人が感じておられるようでしたら、法学部、法科大学院の道を選択されたらいかがでしょう。この当たりは、本人自身が一番自分の能力のことを知っており、ご自身が判断されるのが適切であることですが。                                                            敬具
平成15年12月8日
【０１３９】
石川さゆり  様
拝啓
お元気ですか。１２月はディナーショーの過密スケジュールで大変だと思います。
元気に乗り切って、紅白歌合戦に突入して下さい。“すばらしき音楽仲間たち”で冠二郎さんが歌われた「旅の終りに」、あの歌いいですね。「津軽海峡・冬景色」のような普遍的な良さがあります。ヒットした時も同じ１９７７年でしょうか。
何故でしょうか。
みんな心中で知っているのだと思います。
生まれた時も一人なら、死ぬときも一人だということを。私も、５０歳を超えてから、確実に残りの人生の方が、すでに過ごしてきた人生よりも少なくなったことを感じるようになりました。
今年は離婚もし、今は私と一日遅れて死にたいという女性と過ごしていますが、そんなにうまく死ねるものではないでしょう。きっと、私がかなり早くお先に行くということになるでしょうね。まあ、残りの人生、さゆりさんがステージに立つかぎり、私の命あるかぎり、コンサートを楽しみたいですね。ディナーショーは、そうですね、私は、あまり多くの料理を見たくないという気持ちがあり、今のところコンサート中心で行きます。お金の関係もありますが。
ではお元気で。
敬具
平成15年12月16日
１．
流れ流れて  さすらう旅は、
きょうは函館  あしたは釧路、
希望も恋も  忘れた俺の、
肩につめたい  夜の雨。
２．
世間にそむいて  世間にすねて、
ひとり行くのも  男のこころ、
誰にわかって  ほしくはないが、
なぜかさみしい  秋もある。
３．
旅の終りに  みつけた夢は、
北の港のちいさな酒場、
暗い灯影に  肩寄せあって、
歌う故郷の  子守唄。
【０１４０】
石川  さゆり  様
拝啓
お元気ですか。ディナーショーのハードスケジュールの毎日ですね。さて、私どもは、紅白歌合戦が楽しみ。今年は、「能登半島」ということで、私も、旅情演歌が一番好きなジャンルであり、期待するところ大です。「夜明け間近北の海は波も荒く・・・」阿久悠先生の名詩ですね。
「能登半島」を歌われるのではないかということは、インターネットでかなり前から予想情報が出ておりましたが、どこに発信元があるのか興味深いところです。
このところ、連続してファンクラブに記事を掲載させて戴いておりましたが、次号は多分無理でしょう。自分自身、これはというものが書けなかったような気がします。
さて、来年早々は、佐保里様の成人式でしょうか。
おめでとうございます。
敬具
平成15年12月22日
【０１４１】
石川  さゆり  様
拝啓
明けましておめでとうございます。
新年号の会報誌にファンレターを載せていただくのは、今回は自分としても傑作がなく無理と考えておりましたが、最後の欄に載せていただきました。さらにさらに、さゆり様のステージ写真の一枚に私のプレゼントコーナーが載っていたので、びっくりしました。たしかあの時は、乾燥ビール酵母と生茶を持参させていただいたと記憶しております。
さて、昨年は、３１日の１２チャンネルと、紅白歌合戦を楽しませていただき、４日のＢＳの特別番組は、友人に録画を依頼し、５日に楽しむ予定にしております。
また、３１日には「一五一会」を購入し、テイチクの他の人の歌も含め楽しんでおります。
さて、今年はどんなコンサートになるのか、今から２月７日のコンサートが楽しみです。
「故郷によろしく」を組み込んで戴けると有り難いのですが。
さて、今年は、早々に佐保里様の成人式ですね。おめでとうございます。
歌について新年思ったこと。
必ずしも、真実を詩にしていないところに情感があるようです。
例えば、１．「・・・凍えそうな鴎見つめ泣いていました・・・」⇒鴎は凍えそうでなく、元気に寒風の中を飛んでいる。（これは、さゆり様も論評されていましたっけ。）
２．「・・オーロラの空の下  夢追い人  ひとり・・・」⇒オーロラの下にひとり立てるような人などめったにいない。
３．「・・お酒はぬるめの燗がいい  女は無口な人がいい・・」⇒無口な女性って、病気の女性しかいないのではないでしょうか。
これ、みんな阿久悠さんの詩ですね。現実なようで、よく考えると非現実なきわどいところに、情感が出てくるのでしょうか。
では、今年も元気なさゆり様のお姿を拝見することに期待しつつ。
敬具
平成16年1月5日
……小林旭。その名を耳にしただけで、心地よいノスタルジーが全身を襲う。当たり前である、小林旭という存在自体がドラマなのだから。彼から派生するさまざまなイメージ――波止場、渡り鳥、ギター弾き、旅人、任侠、無宿、さすらい、銀座、くるま……。多くの日本人が夢見る生き様は、すべてアキラ・ワールドに集約されるのだ。『南国土佐を後にして』『ギターをもった渡り鳥』『関東無宿』『仁義なき戦い』シリーズなどなど、ドメスティックなカタルシスを過剰に煽る名作の数々。人々はこぞって映画館に駆けつけ、アキラを堪能していった。また、歌手としての評価も異常に高い。演歌/民謡/アメリカン・ポップス/ラテン音楽と、遊び心と実験精神にあふれたサウンドもさることながら、その曇り気味でカン高い歌唱は強力なフックとなり観衆の心をとらえたようだ。マイティーな趣の「ダイナマイトが百五十屯」、ビターな駄洒落満載「自動車ショー歌」、男節全開の「ギターをもった渡り鳥」、大滝詠一作曲による「熱き心に」……決して色褪せることはなかろう。
【０１４２】
石川  さゆり  様
拝啓
お元気ですか。お誕生日、おめでとうございます。４６歳。私の４６歳の時はと言えば、一般管理職から、特許部門の専門職に異動命令を受けた歳でした。４６歳になってから、未知の特許の仕事で、がっかりするやら、戸惑うやらで大変な時でした。まったく、一からの勉強でした。だから特許マンとしてはまだまだ半人前、半人前のうちに、退職を迎えることになりそうです。特許の仕事は、始めた頃は社内でも日の当たらない仕事でしたが、世の中が変わって、特許をやっていますと言うと、周りの人は難しい仕事をやっているとの認識に変わってきました。また、仕事への価値観も、一般職志向から専門職志向へと変化して来たようです。そんな流れの中で、私の長男もサラリーマン生活から法曹界への道への転換を入社２年後に思い立ったものと思います。
前置きが長くなりましたが、歌一筋のさゆり様の人生は、誰もができることではなく、大変立派な仕事と思います。また、４６歳という歳は、これから一段と芸を高めることができる歳ではないかと思います。女性演歌歌手で、幅広いファン層に支持されている最高位にあるのですから、ますますの活躍を期待します。
さて、今年のコンサートは、２月７日の北とぴあ、から開始ですが、どんな構成になるのか楽しみです。
ではお元気で。                                                              敬具
平成16年1月27日
【０１４３】
石川  さゆり  様
拝啓
お元気ですか。
箱根ケ崎のコンサートは、久しぶりに最前列の２８番という超特別席でした。
思えばこのコンサート、たしか昨年７月頃の狛江ホールのコンサートでチラシを入手し、１１月に箱根ケ崎まで切符を買いに行き、そして２月２１日にコンサートに行くという先の長い計画でしたが、年月の経つのは早いものでもう過ぎてしまいました。
席の位置関係から、例のお話のコーナーで、理想の女性についての質問が自分に来るかもしれないということで、日頃思っていることをお話しました。「歌手は、石川さゆりさん。女優は、冨司純子さん」（冨司さんは、緋牡丹博徒を見た１９６８年の大学一年の時からですから、もう３６年間のファン。石川様は、津軽海峡・冬景色の１９７７年の時からですから、もう２７年間になります。）というのが私の生涯の心に思う人です。「二人の共通点は？」と聞かれて、つい「あちらは・・・」と言ってしまいましたが、要するに「美しさのタイプが違いますので、つい共通点の答えが見つからず、「・・お二人とも、きれいなところです」とお答えしたしだいです。お二人とも、上手に年を重ねておられるのではないでしょうか。
歌に話はもどしますが、「北の女房」「津軽海峡・冬景色」が何回聞いても特にいいですね。「津軽海峡・冬景色」では、つい“さゆりちゃ〜ん”と声を出してしまいました。
それに、今回は、いつものオバサマ、オニイサマが最前列にいて、「酒・紫陽花ばなし」の間の“さゆりちゃん日本一”も、タイミング・声ともに良かったですね。
ではお元気で。
敬具
平成16年2月23日
【０１４４】
石川  さゆり  様
拝啓
いつもお元気ですね。いつのステージを見ても、さゆり様は元気いっぱいな感じがします。２月２８日は、平塚のコンサートに行ってまいりました。平塚の駅に降り立ったのは、始めて、町はかなり大きいようでしたが、会場に入ると、前の方をＪＡの方々らしき人々が占めていて、一昔前は、田舎だったのかなあと思いました。
さて、今日はコンサートについて、少し気になっていることを書いてみました。
１．昨年のいつからか、着物が同じパターンのような気がすること。ファンは、それ自体は、気になりませんが、週刊誌で書かれてあった事情などにより、他の着物は処分されてしまったのかと気になります。
２．曲組みが、昨年からまったく同じであること。個人的には、男唄では、さゆりさんの唄の中に“長良の萬サ”というものがあったと思いますし、２０世紀の名曲たちの中から、例えば“カスバの女”などを入れてほしいと思います。阿久悠先生も本に書かれていましたが、“カスバの女”というのは、私が子供の頃か、それ以前の時代の歌ですが、妙に魅惑的ですね。
２点気になっていることを書いてみましたが、特に気になさらないで下さい。
貴女のコンサートは、詰まるところ“津軽海峡・冬景色”にあるというのが、率直な気持ちです。ヒットしてから、２７年も経ち、ＣＤで聞くのを含めると、膨大な回数聞いているのに、何度聞いてもいいですね。コンサートでは、やはり“天城越え”がラストに来て納まりはいいのですが、一曲前の“津軽海峡・冬景色”が一番です。
では、お元気で。                                                          敬具
平成16年3月1日
【０１４５】
石川  さゆり  様
拝啓
お元気ですか。
３月２日に歌謡コンサート（テレビ）、３月３日に町田コンサート、３月６日にＢＳ日本の歌（テレビ／これは多少前に録画されたものと思います）とさゆり様を見る毎日が続き、当面は後は、１１日の川崎のコンサートを残すだけと思っておりましたら、「ファンの集い」があるとのこと、仕事を抜けて行くしかないか・・・。
３日も６日も「津軽海峡・冬景色」が一番良かったというのが私の感想です。何回聞いても、ますます、すばらしい歌です。３日のコンサートは、「い」の２０番ということで、ひっとしたら一番前の中央付近かと思っておりましたら、席順は「あ」から始まっていました。で、「あ」の２０番は、例のおばさま、どうも「川村さん？」とかいう人らしい。ということで、例の「さゆりちゃん、日本一」の美声のおばさまのすぐ後の席に座るという名誉なことでした。
何回も何回も聞いているのに、聞くたびに良くなる「津軽海峡・冬景色」。さゆり様の歌の迫力もそれだけ増しているということでしょう。今、良く見るビデオは、３０周年記念のコンサートビデオ、「北の女房」と「津軽海峡・冬景色」を歌っている着物とヘアースタイル（あまり、こんもりしていないのが好きです。）が最高ですネ。
では、１１日も仕事が早く終わることを期待して。
お元気で。
敬具
平成16年3月8日
【０１４６】
石川  さゆり  様
拝啓
一連の東京近郊のコンサートも、１１日の川崎でひとまず終了ですね。
川崎のコンサートは、１１年程前に行った記憶があります。２列目ぐらいの席でした。あの時は、最後の「天城越え」の時、赤いカーテンのような布が舞台全体にバックでゆれていた記憶があります。それと、１１日は、プレゼントを持って来た人が多かったようです。
２月７日の北とぴあ  から始まって、２２日、２８日、３月３日、１１日と約１ヶ月に５回楽しませていただきました。
希望とすれば、一曲だけ違うものを唄ってほしいといったところでしょうか。チラシの方は、その一曲のところだけ、（・・・・？・・・・・）と印刷しておけば、よいかと思います。
歌ってほしいものは、いろいろとありますが、個人的には、かなり前の歌が好きです。例えば、能登半島、暖流、沈丁花、火の国へ、漁火挽歌、みちゆき博多発、春の雪等です。
それと、２０世紀の名曲たちから、別れの一本杉、再会、カスバの女等です。
でもまあ、津軽海峡・冬景色を聞けば、大部分の満足感はそれで得られます。
子供の頃は、別れの一本杉に感動しましたが、成人してからは、津軽海峡・冬景色ですね。どちらも、別れの歌ですが、どちらも歌の完成度が、曲自体、歌自体共にきわめて高く、それによって逆に、悲しさをあまり感じないところが不思議です。
後は、当面は、４月６日のファンクラブの集いを楽しみにしております。
３０周年の時は、運よくかなり前のテーブルでした。今度は、・・・・・。
ではお元気で。                                                            敬具
平成16年3月12日
【０１４７】
石川  さゆり  様
拝啓  
お元気ですか。会報（２００４．４．１号）が届きました。さて、ファンレターのコーナーを見ましたら、今回も掲載させて戴いておりました（ただ、横浜市Ｉ・Ｈとなっておりましたが、Ｙ・Ｈの誤りでした。たいしたことではありまんので気にしないで下さい。）
レターの内容は、「北とぴあ」のコンサートの時のものでした。
さて、昨日は、久しぶりに、“そして歌は誕生した１４集”の「風の盆恋歌」のパートをビデオで見てみました。（サッカー日本もなかなか点が入らず見ているのもつらくて）。なかにし礼さんの、原作も、歌手も、曲も全て素材であり、最終的に歌として完成するという発言には、いささか作家・作詞家としてのプライドが表れておりましたが、良い歌詞を生み出すことは、大変な創作活動であるということは、文字を並べることを仕事としている私にとっても、理解できるところです。（たしか、「酔って候」も元の詩は異なっていましたね。）  あれから、１５〜１６年も経つのですね。私には、「・・命をかけてくつがえす」という心境はありませんが、自分が１３年前に播いた種が原因で、結局離婚となり、相手の女性が「飢餓海峡」に出てくるような女性（男性は、自分からは、躊躇するのですが、女性からアプローチされると、逃れるすべを知らないものですから。のろけている訳ではありません。）でしたから、３月３日入籍、３月２８日結婚式（らしきもの）を行い一段落致しました。そういう訳で、さゆり様と結婚できる可能性は事実上、まったくなくなりました（笑）。入場には、「人間模様」を使いました。でも、４月６日は、休暇を採って、ファンクラブの集いに参加します。さゆり様は、２６年前からのファンですから。
ではお元気で。                                                              敬具
平成16年4月1日
【０１４８】
石川  さゆり  様
拝啓
お元気ですか。
４月３日、初めて「百寺巡礼」を観ました。今回は、成田山勝寺ということで、私にとっては、最も数多く行った寺でした。ただし、最大の目的は、鰻重を食べることにあったのですが。“星の旅びと”は最後に歌われました。４月２１日の発売が今から楽しみです。それに、カップリング曲がどんな曲かということも含めて。こういう歌を、いわゆる“いい曲”というのでしょうネ。“飢餓海峡”のような妖しい魅力はありませんが。五木さんの詩は、伸びやかですね。さゆり様の歌で、さらに伸びやかになっている気がします。
ではお元気で。
敬具
平成16年4月5日
【０１４９】
石川  さゆり  様
拝啓
ファンクラブの集い、ご苦労様でした。私は、４月５日の東京プリンスホテルの部に出席しました。まあ、平日でしたが、なんとか休暇をとれましたので。５日でしたら、急に出張が入り出席できなくなったのですが、幸運でした。今回の集いで再認識したのは、さゆり様の美しさ。さゆり様が入っての写真撮影の部で、近くにさゆり様を観ました時、ほんとうに、すがすがしく美しいと思いました。しばらく、アルバム作りに専念というお話でしたが、多分ＣＤアルバムのことと思います。ぜひＤＶＤもお願いします。テイチクの偉い人にも、お願いしました。（最近のアルバムでは、２５周年記念、さゆり、３０周年記念が充実していると思います。）ＤＶＤを希望する理由は、
１．さゆり様は美しい（現在がいままでよりも、美しい。昔はなんとなくキョトンとした印象。）、美しいから、映像と歌声を同時に楽しみたい。
２．旅情演歌が多いので、歌の雰囲気に合った、映像が入ると、いっそう歌の良さが増す。
３．さゆり様の歌は、津軽海峡・冬景色、能登半島を始めとして、初期の歌が古くなるどころか、良くなっている。したがって、古い曲も新曲と何ら変わらない新鮮さを維持している。
４．ＤＶＤは、好きな曲だけを繰り返し流したりするのに便利である。
５．ビデオは、磨耗が早い。といった点です。（ファンなら１万円以上でも買いますが、数を出すとなると５千円程度かな。）
ただ、製作費もかかるでしょうから、過去のビデオとかで、テイチクやさゆり音楽舎に権利のあるものをデジタル化したりしてはどうでしょうか。たとえば、３０周年記念コンサートやその前年のコンサートには、豊富に映像があります。（１２チャンネルの演歌の花道から、映像を使うと高いかもしれませんが。）そして、予約販売にして、販売見込量を予測して、在庫リスクを避けるようにすればいかがでしょうか。ではお元気で。      敬具
平成16年4月8日
【０１５０】
石川  さゆり  様
拝啓
お元気ですか。コンサートはしばらくお休みということで、なんとんく希望の持てない日々ですが、当面は、4月２１日発売の新曲に期待しましょう。
秋からのコンサートは、水戸か川越あたりが狙い目ですが、平日なので、直近に仕事の予定を確認してから、チケットの手配をしないと。
さて、今は、ＰＯＮＹ  ＣＡＮＹＯＮ時代のＣＤ“愛燦燦”を毎日、寝る前に聞いております。もう、１０年近く前のものですので、さゆり様の声もまだかわいらしいですネ。どの歌も、さゆり様は、素直に歌唱しておられるので、聞きやすいというか、自然にいいなあと感じさせる魅力があります。中でも、「流恋草」「北の蛍」「愛人」「雪国」あたりが気入っています。特に「北の蛍」は、仲代達也？さんと岩下志麻さんの官能的な演技が強烈でした。「飢餓海峡」並のエロチシズムですネ。
これを聞いたら、２０世紀の名曲たち（残念ながら、１、２集は持っておりませんが。）を中心にじっくり、聞いてみようと思っています。それと２５周年記念のアルバムを。ナレーションが入っていていいです。それに、この前書きましたが、ＤＶＤ、一つでいいですから、いいものをお願いします。
ではお元気で。
敬具
平成16年4月19日
【０１５１】
石川  さゆり  様
拝啓
６月１日は、ひさしぶりの歌謡コンサート出演、楽しませて戴きました。
着物と帯と、それに容姿がとても素敵でしたね。
それに、お元気そうでした。
特に帯がかわいらしい、すがすがしいデザインのものだったと記憶しております。
ビデオ録画したはずが、録画スイッチをしっかり押してなくて、ビデオを取り出したら、まったく回っていないのに気づき残念。
会場に「さゆりー」という大きな声を出す人いましたね。さすが、「星の旅人」では、声を出すのを遠慮していると思いきや、歌の最後と、会場のエンディングで「さゆりー」の声。ファンとしては、常連が岩手県水沢市まで行っているのを知り、何故か不思議な安心感を覚えます。
１０曲入りＤＶＤを購入しました。多分７曲は、キープ（株）から出ているすでに購入した７曲入りのものと同じ画像と予想しておりましたが、予想通りでした。でも、ファンにとっては、重複はあまり気になりません。（まったく同じものだと、がっかりしますが。）「星の旅人」の画像が美しかったです。もちろん、さゆり様も。
敬具
平成16年6月2日
【０１５２】
石川  さゆり  様
拝啓
久しぶりに東京の地上に出たという、楽しい一日でした。
八丁堀に通勤はしているのですが、地下鉄の出口を出ると、すぐビルの中の仕事ですから、東京の空の下で過ごしたという感覚が通常あまりありません。
東大の赤門は初めて見ましたし、それに近くの写真館に雅子様の学生時代の写真があったり、今雅子様、たいへんなご病気のようですが、私も、類似の病気になったことがありますので、雅子様のことよく想像できたりします。政府や宮内庁の対応も、のんびりしているので、精神的病から脱却する方法の特許出願したりして、特許庁長官を通じて、小泉総理になんとか動いてもらおうと考えていました。
さてさて、さゆり様のお話にもどして、歌謡コンサートの「飢餓海峡」最高でした。途中で、歌えなくなるのではないかと心配しながら見てましたら、やはりプロ、みごとでした。
「一葉恋歌」、素敵です。ジャケットのグリーンの縦じまの着物、すばらしい。２０周年の頃の「ホテル港や」の時のグリーンに玉模様の着物も印象的でしたが。
今日の着物、そうですね、私は、リズムに来られた時のものが、より良かったと思います。
明日は、休暇をとって午前にテレビ、日曜は、ＮＨＫのノド自慢。
さゆりさん、いつまでも美しく、時間が止まっている感じ。
１９７７年のＮＨＫの紅白の時より、たしかに美しい、そして歌もうまくなっている。
がんばって、松山恵子さんのように、いつまでも歌って下さい。
松山恵子さん、私が子供頃テレビで見た時と、ほとんどかわっていないから、不思議。
人の中でなんとか、そこそこに撮れたものを送ります。
デジカメのおかげで、すぐに写真になります。
少し、便利すぎる時代のような気がしておりますが。（歳のせいか）
来年は、今年中に、妻の３回にわたる手術も終了しますので、また、コンサートに行こうと思っております。
ではお元気で。
敬具
平成16年9月23日
【０１５３】
石川  さゆり  様
拝啓
９月２３日の新曲ヒット祈願とか、握手会とかに行き、さゆり様を拝見しましたら、１０月１日のコンサートに行きたくなり、会社はお休みして、当日券を手に入れて楽しみました。
プログラムを見て、ややや、と思いきや、「津軽海峡・冬景色」が定位置から外れたと思いきや、ダダダーン、ダダダーンが消えてしまった。
さゆり様のトークに、「東映の岩に砕ける波のようなイントロを無くして、・・・」とかの説明があり、「飢餓海峡」のギターバーションのような感じで歌が出てきました。
あの歌い方は、あれなりにいいのですが、ダダダーン、が消えると「さゆりー、さゆりー」と声を出す機会を失い、なんとなく寂しい。
ただ、コンサート全体は、進化していたというか、さゆり様の体調も良かったようで、いい感じでした。ただ、歳のせいか、あまり進化というものを自分自身好まなくなった傾向にあるようです。
テレビ、パソコン、ビデオと言ったデジタル機器があまりにも、進化して、世の中殺伐としてきているようです。
そんなわけで、さゆり様には、進化して戴くよりも、現状を維持していただくのを心の底では期待しているような気がします。時間を止めていた代表が、「津軽海峡・冬景色」。これが、今回のコンサートでは、進化したのだから、うーん、後は、「
敬具
【０１５４】
石川  さゆり  様
拝啓
６月１日は、ひさしぶりの歌謡コンサート出演、楽しませて戴きました。
着物と帯と、それに容姿がとても素敵でしたね。
それに、お元気そうでした。
特に帯がかわいらしい、すがすがしいデザインのものだったと記憶しております。
ビデオ録画したはずが、録画スイッチをしっかり押してなくて、ビデオを取り出したら、まったく回っていないのに気づき残念。
会場に「さゆりー」という大きな声を出す人いましたね。さすが、「星の旅人」では、声を出すのを遠慮していると思いきや、歌の最後と、会場のエンディングで「さゆりー」の声。ファンとしては、常連が岩手県水沢市まで行っているのを知り、何故か不思議な安心感を覚えます。
１０曲入りＤＶＤを購入しました。多分７曲は、キープ（株）から出ているすでに購入した７曲入りのものと同じ画像と予想しておりましたが、予想通りでした。でも、ファンにとっては、重複はあまり気になりません。（まったく同じものだと、がっかりしますが。）「星の旅人」の画像が美しかったです。もちろん、さゆり様も。
敬具
平成16年6月2日
【０１５５】
石川  さゆり  様
拝啓
久しぶりに東京の地上に出たという、楽しい一日でした。
八丁堀に通勤はしているのですが、地下鉄の出口を出ると、すぐビルの中の仕事ですから、東京の空の下で過ごしたという感覚が通常あまりありません。
東大の赤門は初めて見ましたし、それに近くの写真館に雅子様の学生時代の写真があったり、今雅子様、たいへんなご病気のようですが、私も、類似の病気になったことがありますので、雅子様のことよく想像できたりします。政府や宮内庁の対応も、のんびりしているので、精神的病から脱却する方法の特許出願したりして、特許庁長官を通じて、小泉総理になんとか動いてもらおうと考えていました。
さてさて、さゆり様のお話にもどして、歌謡コンサートの「飢餓海峡」最高でした。途中で、歌えなくなるのではないかと心配しながら見てましたら、やはりプロ、みごとでした。
「一葉恋歌」、素敵です。ジャケットのグリーンの縦じまの着物、すばらしい。２０周年の頃の「ホテル港や」の時のグリーンに玉模様の着物も印象的でしたが。
今日の着物、そうですね、私は、リズムに来られた時のものが、より良かったと思います。
明日は、休暇をとって午前にテレビ、日曜は、ＮＨＫのノド自慢。
さゆりさん、いつまでも美しく、時間が止まっている感じ。
１９７７年のＮＨＫの紅白の時より、たしかに美しい、そして歌もうまくなっている。
がんばって、松山恵子さんのように、いつまでも歌って下さい。
松山恵子さん、私が子供頃テレビで見た時と、ほとんどかわっていないから、不思議。
人の中でなんとか、そこそこに撮れたものを送ります。
デジカメのおかげで、すぐに写真になります。
少し、便利すぎる時代のような気がしておりますが。（歳のせいか）
来年は、今年中に、妻の３回にわたる手術も終了しますので、また、コンサートに行こうと思っております。
ではお元気で。
敬具
平成16年9月23日
【０１５６】
石川  さゆり  様
拝啓
９月２３日の新曲ヒット祈願とか、握手会とかに行き、さゆり様を拝見しましたら、１０月１日のコンサートに行きたくなり、会社はお休みして、当日券を手に入れて楽しみました。
プログラムを見て、ややや、と思いきや、「津軽海峡・冬景色」が定位置から外れたと思いきや、ダダダーン、ダダダーンが消えてしまった。
さゆり様のトークに、「東映の岩に砕ける波のようなイントロを無くして、・・・」とかの説明があり、「飢餓海峡」のギターバーションのような感じで津軽海峡・冬景色が出てきました。
あの歌い方は、あれなりにいいのですが、ダダダーン、が消えると「さゆりー、さゆりー」と声を出す機会を失い、なんとなく寂しい・・・。
ただ、コンサート全体は、進化していたというか、さゆり様の体調も良かったようで、いい感じでした。ただ、歳のせいか、最近、あまり進化というものを自分自身好まなくなった傾向にあるようです。テレビ、パソコン、ビデオと言ったデジタル機器があまりにも、日々進化して、世の中殺伐としてきているようです。これらの機器は、買った瞬間にもう中古としての低い価値のものになってしまいます。大量消費社会を造った戦後の歴史、そろそろ岐路に来ていると感じております。
そんなわけで、さゆり様には、進化して戴くよりも、現状を維持していただくのを心の底では期待しているような気がします。時間を止めていた代表が、「津軽海峡・冬景色」。これが、今回のコンサートでは、進化したのだから、うーん、後は、「天城越え」がなんとか、最後に歌われる曲として、残るかな・・・。ただ、あの曲は、慣れた人でないと、「さゆり」と声をだしにくいようです。
ともあれ、さゆり様はいい意味で進化していた。私も、進化しなくては。さゆり様に取り残されると、応援する歌手がいなくなります。もう、その上は、島倉さんになりますから。島倉さんは、私の子供の時、すでに歌手だった人だし。はるみさんは、肌に合わないし。
ともあれ、元気な、さゆり様、アンコールも２曲歌って戴いてありがとう。
３０〜４０代で一番、綺麗な芸能人だな（女優さんを含めて）と思います。
ではお元気で。
敬具
平成16年10月4日
【０１５７】
石川さゆり  様
拝啓
１０月１３日は、お疲れ様でした。
私も久しぶりにけっこう歩きました。日頃デスクワークばかりですから。
１０時少し過ぎに行ったのに、もうかなり席がとってあったりして。でも、４列目ぐらいに座れました。３曲も歌って戴いたとは、在り難い。「一葉恋歌」だけとばかり予想しておりました。
特に、「津軽海峡・冬景色」最高に良かった。先日のコンサートでは、アコースティクバージョンでしたので、やはり、イントロのダダダダーンがないと、拍子抜けな感じで。
スタッフの女性（なんというか、少しユーモアのある感じの、いつも黒い服を着ている方）に、パンフを戴き（私も、スペシャルファンの仲間として認定されたのか）、浅草、秋葉原、亀戸、錦糸町とサーキットをしてしまいました。
浅草、亀戸、錦糸町は、「一葉恋歌」でないものを、せっかくでしたから探して買ってみました。テイチク様には申し訳ありませんが。
というのは、２５周年記念の「行」のアルバム以前のものは、ほとんど持っていないのです。
もう、なかなか手に入りませんし。
早速、「津軽海峡・冬景色」「能登半島」（１９９４年の発売ですが、音源はもっと古いと推察します）を聞いてみましたら、なんとなくデビュー当時の声なのです。今の方が断然いいですネ。吉岡治先生の詞は、なんとなく妖しい感じ（天城越え  とか、飢餓海峡  とか）、阿久悠先生の詞は、スケールの大きさを感じる詞（津軽海峡・冬景色  とか、  熱き心に  とか）。阿久悠先生の歌は、どちらかと言えば昼間向きでしょうか。
平成16年10月14日
【０１５８】
石川  さゆり  様
拝啓
１１月６日は、文京区の一葉親善大使のお役目の第一弾、湯島天神での、一葉恋歌の披露ご苦労様でした。天気もよく、快適な一日を過ごさせて戴きました。
菊の柄の入った着物と想像しておりましたが、想像通りでした。特に、着物の裾の方の菊がみごとでした。菊のご紋を少し連想させるような。
吉岡先生が、文京区で近いこともあったせいか、おいでになり、お話を聞くことができ、よかっです。
さて、１２日の熊谷は仕事で断念、１２月は庶民には縁遠いディナーショーになりますので、来年の横須賀とか、市川を楽しみにしております。まあ、その間に歌謡番組が紅白とかありますが。
ところで、今は、家の中ではＤＶＤを楽しむことが多くなりました。ノートパソコンにツインのスピーカーを繋ぐと手軽に楽しめます。
１．津軽海峡・冬景色、２．天城越え、３．風の盆恋歌、４．紫陽花ばなし、５．北の女房、６．漁火挽歌の入ったＤＶＤが発売されるのを期待しております。
２００５年全曲集は、一葉恋歌だけ、ＤＶＤの付録がついているような情報があり、期待しています。
ではお元気で。
敬具平成11月9日
【０１５９】
石川さゆり  様  
拝啓
お元気ですか。
九州講演から、ディナーショー、年末の紅白とかと続きますが、元気なさゆり様ですから、大丈夫でしょう。
最近は、ハードディスクタイプのプレヤーが発売され、愛用しております。５ＧＢのものを使っておりますが、５００曲は軽く入るようです。今は、さゆり様の曲と小林旭さんの曲を入れておりますが、まだハードディスクのほんの一部を利用しているにしかすぎません。
もちろん、さゆり様の歌が一番ですが、小林旭さんの歌も、なかなかいいと思います。私が好きなのは、１．さすらい、２．女房きどり、３．ごめんね、４．麻衣子、５．純子、６．私の名前がかわります、７．ついて来るかい、８．昔の名前で出ています、あたりでしょうか。船頭小唄も吹き込まれています。旭さん、芸能生活５０周年ということですが、声もまだ大丈夫だし、たいしたものですね。現役の男性歌手の一番は小林旭だと思います。
数年前に二人のビッグショーで一緒に出演されていましたね。小林旭さんが、さゆりさんの肩に手をやったりして、あれが、また違和感ないのが、小林旭さんのスター性ですね。                                                                          
敬具
平成16年11月15日
【０１６０】
石川  さゆり  様
拝啓
１２月も目の前で、いよいよディナーショー、紅白と忙しい年末ですね。
２４日に発売された一様恋歌プロモーションＤＶＤ付、ＣＤを購入しましたが、特に、ＤＶＤの部が最高でした。
前にも書きましたが、津軽海峡・冬景色、天城越え、風の盆恋歌、（紫陽花ばなし、北の女房、漁火挽歌）の入ったＤＶＤが発売されることを期待しております。背景（景色）とさゆり様を合成して、簡単に作成したもので、結構なのです。
ＤＶＤだと、美しいさゆり様を見ながら、歌が流れ、パソコンにスピーカーを繋いで、机の上で、自由に楽しめます。
テレビ映像のコレクションは、多いのですが、３番までフルに歌われているものがほとんどありませんし、ステージのものがほとんどですから、ＤＶＤのような独特な世界を作ってくれません。
ではお元気で。
敬具
平成16年11月27日
【０１６１】
石川  さゆり  様
拝啓
いよいよ、紅白を残すのみとなりましたね。
この手紙が着くころは、紅白歌合戦も終わっているかもしれませんが。
今年の思い出は、なんといっても、１．本郷へ「一葉恋歌」の新曲祈願を観に行ったこと。
２．三越へ行ってから、新曲キャンペーンのサーキットに参加したこと。
それから、３．湯島天神にも行ったこと。コンサートに行ったことよりも、意外に記憶に残ります。それに、ファンクラブの懇親会で、写真を撮らせて戴きました。
来年は、１月、横須賀。２月、市川。４月、新宿コマと楽しみにしております。
また、ファンクラブ代表の神奈川県に応募したりもしましたが、こちらはどうなったやら。
紅白で、「天城越え」でトリをやられた２年程前の年末のＮＨＫ特集番組での、リクエストコーナーで、私の「津軽海峡・冬景色」の電話の内容の貼り紙がありまして、１９７７年長男誕生と記載されているのが画面に写りましたが、その長男も、すでに２７歳。歳月の経つのは早いものです。来年から、四谷で弁護士として、働くようなことを言っております。さゆり様はおかわりなく、美しく、応援しつづけたいと思っております。
元気でがんばって下さい。自然体で。
敬具
平成16年12月29日
【０１６２】
石川  さゆり  様
明けましておめでとうございます。
紅白歌合戦の「一葉恋歌」よかったです。
着物も、歌も、ヘアーも、お顔も。
ビデオ撮りをしたはずでしたが、昼に掃除をした時、デッキの後ろの配線を間違えて、写っていないのに、２日になって気がつきました。
箱根駅伝を、家の近くへ観に行き、返ってから、「天皇の新年参賀」を見て、「恋する一葉」を見て、再び、箱根駅伝を見ております。
とりあえずは、横須賀のコンサートを楽しみにしております。
元旦の東京新聞の一葉の特集に掲載されている絵がなんとなく、紅白のさゆりさんの衣装に似ておりました。残念ながら、ビデオと比較はできません。
ではお元気で。
平成17年1月2日
【０１６３】
石川  さゆり  様
拝啓
今年、１月２８日に続き、２月１８日２回目のコンサートを楽ませて戴きまた。このスタイルは、昨年の１０月１日から、３回目かと思います。５年程前からだったと思いますが、東京付近のコンサートには、たいてい行くようになりました。もっとも、愛知県の幸田町まで行ったり、新歌舞伎座へも行ったりしましたが。ここ数年のさゆり様のステージを見ていて、今回は、最高に充実感を感じました。原因は何でしょう。１．歌声にさらに迫力が出てきて、ダイナミックになりました。２．トークの内容のユーモアが自然体になり、一瞬歌謡漫談のような時間が生まれています。歌芝居「夢の浮橋」の熱演の中にも、安心して観ていられる余裕と、一種のユーモアを感じます。３．私自身、コンサートに行きなれて、プレゼントタイムで、あまり緊張しなくなり、コンサートが終わって、一種の虚脱状態に陥ることがなくなり、さわやかに楽しめるようになりました。４．今回特に、ファンの掛け声が、にぎわしく会場がなごやかな雰囲気でありました。
時の流れと、忘却傾向は歳をとるごとに早くなり、当然、何年は、どういう曲組であったかの詳細は、忘れ去ってしまいます。
２００１年は、最初に「北の女房」から始まったスタイルでしょうか。
（この、スタイル好きです。腕組みしたさゆりさんの影が最初に登場して）
２００２年は、３０周年記念スタイルだったでしょうか。旅情三部作を唄って戴いた年だったと思います。「津軽海峡・冬景色」から始まったと記憶しております。（能登半島、暖流を聞けた年でした）
２００３年は、「ホテル港や」から始まったというのが印象に残っています。
２００４年は、「飢餓海峡」が特に印象的でした。朗読が良かったですね。
２００５年は、歌芝居「夢の浮橋」と「津軽海峡・冬景色」他のアコースティックバージョンの年。２００４年あたりから、コンサート時間を実質２時間程度にしていただいていると記憶しています。
個人的な見解ですが、「北の女房」が最初にくるのが好きです。ゴールは、やはり、「酔って候」「紫陽花話」「津軽海峡・冬景色」「天城越え」と流れるのが好きです。「風の盆恋歌」は、２部構成の場合、一部の終わりというところでしょうか。ダダダーンが来ないと、やはり、寂しい。あの瞬間、時は、タイムスリップして、１９７７年に行き、１９８７年を経て、アンコールの最新曲で、現在の時間に戻るという、マジックの世界を堪能して、帰途に着きます。来年は、また「津軽海峡・冬景色」が定位置に戻ってくれることを期待しつつ、今年のバージョンを楽しみたいと思います。
敬具
平成17年2月19日
【０１６４】
本発明者は、何が言いたいかというと、本発明のシステムとハードディスクタイプの携帯用プレーヤーに一番重要なのは、本人が聞きたいデジタル音源と、本人がそれに併せたいデジタル画像の存在、およびそれを編集するソフトウェアである。ただし、このオリジナルな画像付音楽も、歌手本人のコンサートの感動には、まったくおよばないということは言うまでもない。
【図面の簡単な説明】
【０１６５】
【図１】音と映像の編集システム
【図２】ハードディスクタイプの携帯用プレーヤー、タイプＡ（専用型）
【図３】ハードディスクタイプの携帯用プレーヤー、タイプＢ（携帯電話兼用型）
【図４】歌手石川さゆり／津軽海峡・冬景色
【図５】「津軽海峡・冬景色」の曲に併せたい動画の１コマ
【符号の説明】
【０１６６】
１．ハードディスクタイプの画像付音楽再生の携帯型プレーヤー
２．音および画像のデジタルデータ編集ソフトをインストールしたパーソナルコンピューター
３．音楽ＣＤ
４．デジタルカメラ
５．デジタルビデオカメラ
６．音楽データーベース（有料あるいは無料）
７．画像データーベース（有料あるいは無料）
９．インターネット回線
【図１】
2005198341.tif 000003
【図２】
2005198341.tif 000004
【図３】
2005198341.tif 000005
【図４】
2005198341.tif 000006
【図５】
2005198341.tif 000007